(57)【要約】  移動局は、基地局から受信したRGがUPであった場合に、今回HARQプロセスが移動局から基地局に信号を送信する使用したE-TFCと、同じHARQプロセスが前回送信した際に使用したE-TFCとを比較し、同じであった場合には蓄積情報を１つ増加させる。移動局のHARQプロセスは、送信に使用するE-TFCを選択する際に、蓄積情報を加味して選択する。これにより、蓄積情報が増加すると、HARQプロセスが１つ上のE-TFCを選択するようになるため、移動局の伝送レートが増加し、ユーザスループットが向上する。
2007043455.tif 000002
【特許請求の範囲】
【請求項１】
少なくとも第一の通信局と第二の通信局から構成される無線通信システムにおける信号送信方法であって、
前記第一の通信局が、前記第二の通信局が使用してよい無線リソース量の変更要求を通知する信号を送信するステップと、
前記第二の通信局が、前記信号を受信するステップと、前記信号と前記信号の蓄積情報と所定時間前に使用した無線リソース量とに応じて前記第二の通信局が使用してよい無線リソース量を更新するステップと
を有することを特徴とする信号送信方法。
【請求項２】
前記第二の通信局が、前記更新した無線リソース量以下の無線リソース量で信号を送信するステップをさらに有することを特徴とする請求項１に記載の信号送信方法。
【請求項３】
前記第二の通信局は、前記第二の通信局が前記無線リソース量の増加を指示する信号の受信結果に基づいて選択した前記第二の通信局から前記第一の通信局への信号の送信形式が、所定時間前に使用した信号の送信形式と同じである場合に前記蓄積情報を増加させるステップとをさらに有することを特徴とする請求項１又は請求項２に記載の信号送信方法。
【請求項４】
前記第二の通信局は、前記無線リソース量の増加を指示する信号の受信に基づいて更新した無線リソース量が、所定時間前の無線リソース量と同じである場合に前記蓄積情報を増加させるステップとをさらに有することを特徴とする請求項１又は請求項２に記載の信号送信方法。
【請求項５】
前記第二の通信局は、
前記更新した無線リソース量以下の無線リソース量で信号を送信するテップと、
信号を送信した電力を測定するステップと、
前記測定した電力と前記更新した無線リソース量とから信号の送信形式を選択するステップと
を有することを特徴とする請求項１から請求項４のいずれかに記載の信号送信方法。
【請求項６】
前記第二の通信局は、前記所定時間前に使用した送信形式と異なる送信形式を選択した場合に、前記蓄積情報を所定の初期値にリセットすることを特徴とする請求項３に記載の信号送信方法。
【請求項７】
前記第二の通信局は、前記第二の通信局が使用して良いとされる無線リソース量と、前記所定時間前に使用した無線リソース量が異なる場合に、前記蓄積情報を所定の初期値にリセットすることを特徴とする請求項１から請求項６のいずれかに記載の信号送信方法。
【請求項８】
前記第二の通信局が、前記第一の通信局から受信した信号が前記第二の通信局の無線リソース量のスケジューリングを行う第一の通信局からの該第二の通信局が使用してよい無線リソース量の変更要求を通知する信号であった場合にその結果に基づいて前記蓄積情報を更新するステップをさらに有することを特徴とする請求項１に記載の信号送信方法。
【請求項９】
前記所定時間前に使用した送信形式が所定の送信形式のサブセットに属する場合にのみ、前記第二の通信局が前記無線リソース量の増加を指示する信号を受信に基づいて前記蓄積情報の増加させることを特徴とする請求項３から請求項８のいずれかに記載の信号送信方法。
【請求項１０】
少なくとも第一の通信局と第二の通信局から構成される無線通信システムであって、
前記第一の通信局は、前記第二の通信局が使用してよい無線リソース量の変更要求を通知する信号を送信する手段を有し、
前記第二の通信局は、前記信号を受信する手段と、前記信号と前記信号の蓄積情報と所定時間前に使用した無線リソース量とに応じて前記第二の通信局が使用してよい無線リソース量を更新する更新手段とを有することを特徴とする無線通信システム。
【請求項１１】
前記第二の通信局が、前記更新した無線リソース量以下の無線リソース量で信号を送信する手段をさらに有することを特徴とする請求項１０に記載の無線通信システム。
【請求項１２】
前記第二の通信局は、前記第二の通信局が前記無線リソース量の増加を指示する信号の受信結果に基づいて選択した、前記第二の通信局から前記第二の通信局への信号の送信形式が、所定時間前に使用した信号の送信形式と同じである場合に前記蓄積情報を増加させる蓄積情報計測手段をさらに有することを特徴とする請求項１０又は請求項１１に記載の無線通信システム。
【請求項１３】
前記第二の通信局は、前記無線リソース量の増加を指示する信号を受信に基づいて更新した無線リソース量が、所定時間前の無線リソース量と同じである場合に前記蓄積情報を増加させる蓄積情報計測手段をさらに有することを特徴とする請求項１０から請求項１２のいずれかに記載の無線通信システム。
【請求項１４】
前記第二の通信局は、
前記更新した無線リソース量以下の無線リソース量で信号を送信する送信手段と、
前記送信手段が信号を送信した電力を測定する送信電力計測部と前記送信電力計測部の測定結果と前記更新手段が更新した前記第二の通信局が使用して良い無線リソース量から前記送信手段からの信号の送信形式を選択する選択手段と
をさらに有することを特徴とする請求項１０から請求項１３のいずれかに記載の無線通信システム。
【請求項１５】
前記第二の通信局の前記蓄積情報計測手段は、前記選択手段が前記所定時間前に使用した送信形式と異なる送信形式を選択した場合に前記蓄積情報を所定の初期値にリセットすることを特徴とする請求項１４に記載の無線通信システム。
【請求項１６】
前記第二の通信局は、前記第二の通信局が使用して良いとされる無線リソース量と、前記所定時間前に使用した無線リソース量が異なる場合に、前記蓄積情報を所定の初期値にリセットする手段を有することを特徴とする請求項１０から請求項１５のいずれかに記載の無線通信システム。
【請求項１７】
前記第一の通信局は、前記第二の通信局が使用してよい無線リソース量の変更要求を通知する信号を送信する手段を有し、
前記第二の通信局は、前記信号を受信する手段と、前記信号が前記第二の通信局の無線リソース量のスケジューリングを行う第一の通信局からの該第二の通信局が使用してよい無線リソース量の変更要求を通知する信号であった場合にその結果に基づいて前記蓄積情報を計測する計測手段と、前記信号と前記信号の蓄積情報と所定時間前に使用した無線リソース量とに応じて前記移動局が使用してよい無線リソース量を更新する更新手段とを有することを特徴とする請求項１０から請求項１６のいずれかに記載の無線通信システム。
【請求項１８】
前記所定時間前に使用した送信形式が、所定の送信形式のサブセットに属する場合にのみ、前記第二の通信局が前記無線リソース量の増加を指示する信号を受信に基づいて前記蓄積情報の増加させることを特徴とする請求項１２又は１４に記載の無線通信システム。
【請求項１９】
無線通信システムにおける通信局であって、
他の通信局から自局が使用してよい無線リソース量の変更要求を通知する信号を受信する手段と、
前記信号と前記信号の蓄積情報と所定時間前に使用した無線リソース量とに応じて自局が使用してよい無線リソース量を更新する更新手段と
を有することを特徴とする通信局。
【請求項２０】
前記更新した無線リソース量以下の無線リソース量で信号を送信する送信手段をさらに有することを特徴とする請求項１９に記載の通信局。
【請求項２１】
前記自局の無線リソース量の増加を指示する信号の受信結果に基づいて選択した、自局から他の通信局への信号の送信形式が、所定時間前に使用した信号の送信形式と同じである場合の回数を前記蓄積情報として計測する蓄積情報計測手段をさらに有することを特徴とする請求項１９又は請求項２０に記載の通信局。
【請求項２２】
前記無線リソース量の増加を指示する信号を受信に基づいて更新した無線リソース量が、所定時間前の無線リソース量と同じである場合に前記蓄積情報を増加させる蓄積情報計測手段をさらに有することを特徴とする請求項１９又は請求項２０に記載の通信局。
【請求項２３】
前記更新した無線リソース量以下の無線リソース量で信号を送信する送信手段と、
前記送信手段が信号を送信した電力を測定する送信電力計測部と、前記送信電力計測部の測定結果と、前記更新手段が更新した前記第二の通信局が使用して良い無線リソース量とから、前記送信手段からの信号の送信形式を選択する選択手段をさらに有することを特徴とする請求項１９から請求項２２のいずれかに記載の通信局。
【請求項２４】
前記蓄積情報計測手段は、前記選択手段が前記所定時間前に使用した送信形式と異なる送信形式を選択した場合に前記蓄積情報を所定の初期値にリセットすることを特徴とする請求項２３に記載の通信局。
【請求項２５】
前記蓄積情報計測手段は、前記通信局が使用して良いとされる無線リソース量と、前記所定時間前に使用した無線リソース量が異なる場合に、前記蓄積情報を所定の初期値にリセットすることを特徴とする請求項２１から請求項２４のいずれかに記載の通信局。
【請求項２６】
他の通信局から自局が使用してよい無線リソース量の変更要求を通知する信号を受信する手段と、
前記信号が自局の無線リソース量のスケジューリングを行う他の通信局からの、自局が使用してよい無線リソース量の変更要求を通知する信号であった場合にその結果に基づいて前記蓄積情報を計測する計測手段と、
前記信号と前記信号の蓄積情報と所定時間前に使用した無線リソース量とに応じて自局が使用してよい無線リソース量を更新する更新手段と
を有することを特徴とする請求項１９から請求項２５のいずれかに記載の通信局。
【請求項２７】
前記所定時間前に使用した送信形式が、所定の送信形式のサブセットに属する場合にのみ、前記第二の通信局が前記無線リソース量の増加を指示する信号の受信に基づいて前記蓄積情報を増加させることを特徴とする請求項１９から請求項２６のいずれかに記載の通信局。
【請求項２８】
無線通信システムの通信局における信号送信方法であって、
他の通信局から自局が使用してよい無線リソース量の変更要求を通知する信号を受信するステップと、
前記信号と前記信号の蓄積情報と所定時間前に使用した無線リソース量とに応じて前記第二の通信局が使用してよい無線リソース量を更新するステップと
を有することを特徴とする信号送信方法。
【請求項２９】
少なくとも第一の通信局と第二の通信局から構成される無線通信システムであって、
前記第一の通信局は、前記第二の通信局が使用してよい無線リソース量の変更要求を通知する信号を送信する手段を有し、
前記第二の通信局は、
前記信号を受信する手段と、
前記信号が無線リソース量の増加を示す信号である場合は、前記第二の通信局が使用して良いとされる無線リソース量から蓄積情報の無線リソース量を減じた値が、所定時間前に使用した無線リソース量に所定の無線リソース量を加えた値と等しいときは、蓄積情報の無線リソース量を増加させ、
前記第二の通信局が使用して良いとされる無線リソース量から蓄積情報の無線リソース量を減じた値が、所定時間前に使用した無線リソース量に所定の無線リソース量を加えた値と異なるときは、前記蓄積情報の無線リソース量を所定の初期値にリセットし、
所定時間前に使用した無線リソース量に所定の無線リソース量と蓄積情報の無線リソース量を加えた値を、前記第二の通信局が使用して良いとされる無線リソース量とする更新手段とを有し、
前記更新手段はさらに、前記信号が無線リソース量の減少を示す信号である場合は、所定時間前に使用した無線リソース量から所定の無線リソース量を減じた値を、前記移動局が使用して良いとされる無線リソース量とし、
前記第二の通信局は、前記使用して良いとされる無線リソース量を超えない無線リソース量を使用して送信を行う手段を有することを特徴とする無線通信システム。
【請求項３０】
無線通信システムにおける通信局であって、
前記信号を受信する手段と、
前記信号が無線リソース量の増加を示す信号である場合は、自局が使用して良いとされる無線リソース量から蓄積情報の無線リソース量を減じた値が、所定時間前に使用した無線リソース量に所定の無線リソース量を加えた値と等しいときは、蓄積情報の無線リソース量を増加させ、
自局が使用して良いとされる無線リソース量から蓄積情報の無線リソース量を減じた値が、所定時間前に使用した無線リソース量に所定の無線リソース量を加えた値と異なるときは、前記蓄積情報の無線リソース量を所定の初期値にリセットし、
所定時間前に使用した無線リソース量に所定の無線リソース量と蓄積情報の無線リソース量を加えた値を、自局が使用して良いとされる無線リソース量とする更新手段を有し、
前記更新手段はさらに、前記信号が無線リソース量の減少を示す信号である場合は、所定時間前に使用した無線リソース量から所定の無線リソース量を減じた値を、前記自局が使用して良いとされる無線リソース量とし、
前記自局が、使用して良いとされる無線リソース量を超えない無線リソース量を使用して送信を行う手段を有する
ことを特徴とする通信局。
【請求項３１】
無線通信システムの通信局における信号送信方法であって、
第一の通信局から自局が使用してよい無線リソース量の変更要求を通知する信号を受信するステップと、
前記信号が無線リソース量の増加を示す信号である場合は、自局が使用して良いとされる無線リソース量から蓄積情報の無線リソース量を減じた値が、所定時間前に使用した無線リソース量に所定の無線リソース量を加えた値と等しいときは、蓄積情報の無線リソース量を増加させ、自局が使用して良いとされる無線リソース量から蓄積情報の無線リソース量を減じた値が、所定時間前に使用した無線リソース量に所定の無線リソース量を加えた値と異なるときは、前記蓄積情報の無線リソース量を所定の初期値にリセットし、
所定時間前に使用した無線リソース量に所定の無線リソース量と蓄積情報の無線リソース量を加えた値を、自局が使用して良いとされる無線リソース量とするステップと、
前記信号が無線リソース量の減少を示す信号である場合は、所定時間前に使用した無線リソース量から所定の無線リソース量を減じた値を、自局が使用して良いとされる無線リソース量とするステップと、
自局が使用して良いとされる無線リソース量を超えない無線リソース量を使用して送信を行うステップと
を有することを特徴とする信号送信方法。
【発明の詳細な説明】
【技術分野】
【０００１】
本発明は信号送信方法、無線通信システム、通信局、移動局、並びに基地局に関する。
【背景技術】
【０００２】
WCDMAにおける上り回線高速パケット伝送方式であるEUDCH（Enhanced Uplink Dedicated Channel）では、基地局におけるスケジューリングやStop and Wait方式のHARQ (Hybrid ARQ)を導入することで、既存のWCDMAの上り回線よりもキャパシティやカバレッジを向上させることが期待されている。【０００３】
EUDCHを行う移動局は、上り回線でDPCCH(Dedicated Physical Control Channel)とE-DPDCH(Enhanced-Dedicated Physical Data Channel)、E-DPCCH(Enhanced-DedicatedPhysical Control Channel)を送信し、DPCCHの送信電力は基地局において所定の受信品質を満たすよう閉ループ型の送信電力制御が行われている。【０００４】
また、E-DPDCHの送信電力は、DPCCHの送信電力に所定の電力オフセットを加えた電力で送信し、E-DPDCHの伝送レートが高いほど高い電力オフセットを要する。基地局では、正常な通信を維持するために全受信電力対熱雑音の比（ノイズライズ）が所定の限界値以下となるように全受信電力を制御する必要がある。そこで、基地局が全受信電力が所定閾値以下となるように移動局をスケジューリングし、移動局が使用してよい電力オフセット（SG：Serving Grant）を制御する。【０００５】
一方、移動局は物理レイヤにおいて単位送信時間（TTI: Transmission Time Interval）で送信するトランスポートブロックの送信形式を毎TTIに選択する。トランスポートブロックの送信形式はE-TFC（Enhanced-Transport Format Ｃｏｍｂｉｎａｔｉｏｎ）と呼ばれる。図１はＥ−ＴＦＣテーブルを示す図である。図１に示されるようにＥ−ＴＦＣテーブルは、Ｅ−ＴＦＣインデックス101、103、105とトランスポートブロックサイズ（TBS）102、104、106から成る。ここで、トランスポートブロックとは、物理レイヤにおいて、符号化処理を行う単位であり、1つのトランスポートブロックには1または複数のPDU（Protocol Data Unit）とヘッダが含まれる。PDUとは、上位レイヤ（RLCレイヤ）から送られてくるデータのブロックである。このテーブルは基地局と移動局で既知である。また、各E-TFCの送信に必要な電力オフセットはEUDCHを用いたデータ送信開始前に基地局制御装置から別途通知される。【０００６】
移動局は、このE-TFCテーブルの中から所定の条件に応じて適切なE-TFCを選択し送信する。一般に単位送信時間で送信するブロックサイズが大きいほど、その送信に必要とされる電力オフセットも比例して大きくなる。【０００７】
図２はトランスポートブロックの一例を示すブロック図であるが、この例ではトランスポートブロック２０１に、ＰＤＵ２０２、２０３、２０４の３つのＰＤＵとヘッダ２０５が含まれる。PDUは各データフロー毎に異なるブロックサイズに設定可能であり、例えば、図2はPDUサイズが320ビットの場合を示している。この場合、ヘッダ16ビットと3つのPDUが収容されているため、全体のビット数は976ビットとなる。従って、移動局はこのトランスポートブロックを送信するためには、976ビット以上で且つ最小なビット数であるE-TFC13を選択する必要がある。【０００８】
図14はPDU数とE-TFCと所要電力オフセットの関係を示している。PDU数が増加するほど、トランスポートブロックサイズの大きいE-TFCが必要であり、ブロックサイズに比例して送信するために必要な電力オフセットは大きくなる。【０００９】
図3は移動局内のＳＧ更新部３０１とＥ−ＴＦＣ選択部３０２と、それらの間の情報の流れを示している。移動局は、ＳＧ更新部３０１で基地局からの通知に基づいてSGを更新し、更新されたSGに基づいてＥ−ＴＦＣ選択部３０２でE-TFC選択を行い、選択したE-TFCを用いて次TTIの送信を行う。また、実際に送信に使用した電力オフセットの情報（LUPR: Last Used Power Ratio）はSG更新部へフィードバックされる。ＳＧ更新部３０１とＥ−ＴＦＣ選択部３０２でのより詳細な動作は以下のようになっている。【００１０】
[SGの更新]
図４は電力オフセットテーブルを示す図である。SGの更新は図4に示すような電力オフセットテーブルに基づいて行われる。図４に示されるように電力オフセットテーブルは、ＳＧインデックス４０１とＳＧの値４０２から構成される。電力オフセットテーブルは、移動局で設定できる電力オフセットの選択肢を示すテーブルであり、ＳＧインデックスとＳＧの値のセットは、ＳＧの値の差が約1dB刻みで規定されている。なお、ＳＧの値は、真値表記でも良いし、dB表記でも良い。【００１１】
基地局は大別して2種類の制御信号を使用し、移動局に使用を許可する電力オフセット、すなわちSGを制御する。一つはAG（Absolute Grant）と呼ばれ、電力オフセットテーブル内のＳＧインデックスの値を通知（送信）するものであり、もう一つはRG（Relative Grant）と呼ばれ、電力オフセットテーブル内のＳＧインデックスの値を1だけ増加（ＵＰ）または減少（ＤＯＷＮ）、または維持（ＨＯＬＤ）するように通知（送信）するものである。AGは絶対値により電力オフセットを制御する信号であり、RGは相対的に電力オフセットを制御するための信号と言える。【００１２】
図６は無線通信システムのシステム構成を示す図である。無線通信システムは複数の基地局と移動局から構成され、図６では、基地局601、602と複数の移動局611、６１２、613が存在し、さらに基地局制御装置６２０が存在する。EUDCHを使用して上り回線でデータ伝送を行っている移動局611は、DPCCH、E-DPCCH並びにE-DPDCHを送信している。また、基地局はこの移動局611に対し、BCH、DPCCH、DPDCH、E-HICH、E-RGCH並びにE-AGCHを送信している。ここで各チャネルは以下のような信号を送信する。
- BCH:  報知情報、システム情報
- DPCCH：パイロット信号、送信電力のTPC（Transmission Power Control）コマンド
- DPDCH：下り回線のデータ・制御信号
- E-DPCCH：E-DPDCHを受信するために必要な制御信号
- E-DPDCH：高速パケット伝送のデータ
- E-HICH：ACK/NACK信号
- E-RGCH：RG信号
- E-AGCH：AG信号【００１３】
また、移動局612は同じくEUDCHを使用して上り回線のデータ伝送を行っているが、移動局612は基地局601と602のセル境界に位置するためソフトハンドオーバを行っており、両基地局共に移動局612のDPCCH、E-DPCCH並びにE-DPDCHを受信している。このとき、ソフトハンドオーバ中の基地局の中でE-DPDCHのスケジューリングを行う基地局（Serving BS）は1基地局のみである。このようなソフトハンドオーバ基地局のセットやServing BSは、基地局に接続されている基地局制御装置が、移動局からの各基地局の下り回線共通パイロット信号の受信電力に関する通知などに基づいて決定する。決定した結果は、基地局と下り回線のDPDCHを用いて移動局とに通知されるとする。【００１４】
ここで、移動局では各基地局の送信タイミングに同期したタイミングで、各基地局固有のスクランブリングコードを用いて受信処理を行うことで、各基地局からの信号を区別することが可能である。また、基地局固有のスクランブリングコードの情報はBCHで送信されているものとする。【００１５】
Serving BSは、AG並びにRGを用いて移動局のSGを制御する。移動局は後述するようにSG等に基づいてE-TFCを選択し、各ＴＴＩの電力オフセットすることにより、各TTIの伝送レートを制御している。RGとしては、増加（ＵＰ），減少（ＤＯＷＮ）が送信でき、何も送信しない場合（DTX）は、維持（HOLD）を意味する。【００１６】
ソフトハンドオーバ中の基地局の中でServing BS以外基地局、すなわちNon-Serving BSは、移動局の電力オフセットの制御として、受信電力の状況が所定の条件を超えるオーバロード状態となった場合にのみ、RGの減少（Down）を送信する。このようなNon-serving BSが送信するRG DOWNを特にOLI （Over Load Indicator）と呼ぶ。Non-Serving BSが何も送信しない場合は、Serving BS同様、維持（HOLD）を意味する。【００１７】
このとき、図5に示すように、RGによるＳＧインデックス値の増加または減少または維持の通知は、各ＨＡＲＱプロセスが所定時間前、一般には各ＨＡＲＱプロセスにおける一つ前の送信タイミングで実際に送信した電力オフセット（LUPR:Last Use Power Ratio）を基準に行う。【００１８】
ここでは、4つのHARQプロセスがあり、移動局は4つのデータブロックまではACK信号の受信を待たずに送信できるとする。移動局は、RGを受信すると、電力オフセットテーブルの中からLUPR以上のうち最小の電力オフセットのSGのインデックスをSGI_LUPRとし、新しいSGのインデックスはSGI_LUPRから1増加または減少した値とする。従って、例えば、HARQ0(i-1)でのServing GrantであるSG[sg1]よりも低い電力オフセットSG[act1]でE-DPDCHを送信し、HARQ0(i)での送信に対してRGのDOWNを受信した場合は、SG[sg1]からではなく、SG[act1]から1ステップ減少させる。このようにSGよりも実際の送信電力が低くなるような状況は、例えば、SG[sg1]で送信できるデータ量よりもバッファ内のデータ量が少ない場合はバッファ内のデータ量を送信するために十分な出来るだけ小さい伝送レートを選択するために生じる。このようにSGI_LUPRをRGの基準として用いると、基地局が受信電力を減少させたい場合に、SG[sg1]から減少させる場合よりも、より早くSGを減少させることができるという利点がある。なお、ＳＧ[j]は、ＳＧインデックスがjのＳＧの値を示す表記とする。【００１９】
なお、各ＨＡＲＱプロセスが所定時間前、一般には各ＨＡＲＱプロセスの一つ前の送信タイミングにおける送信を、以下では、同じHARQプロセスでの前回の送信、と表記することもあるとする。【００２０】
以上のようなルールに従って更新したSGをE-TFC選択に使用する。
[E-TFC選択]
E-TFC選択部では、更新したSGから以下の条件に適合するE-TFCを一つ選択する。
（１）電力オフセットがSG以下であるE-TFC
（２）現在の移動局のE-DPDCHに使用可能な電力で送信できるE-TFC
（３）バッファ内のデータを出来る限り多量に送信できる最小のE-TFC
選択したE-TFCに従ってトランスポートブロックを生成し、そのE-TFCの電力オフセットを
DPCCHの送信電力に加えた電力でE-DPDCHを送信する。【００２１】
例えば、ＳＧが(19/15)2であるときには、上記（１）ではE-TFCインデックスが5のE-TFCが選択される。そして移動局のE-DPDCHに使用可能な電力が限られているため、さらに（２）でE-TFCインデックスが４のE-TFCが選択され、さらにバッファ内には2個のPDUのデータしかないので、（３）でE-TFCインデックスが２のE-TFCが選択される、などの選択が行われる。【００２２】
以上の動作は非特許文献1、非特許文献2に詳細に記述されている。【００２３】
【非特許文献１】3rd Generation Partnership Project;Technical Specification Group Radio Access Network;Medium Access Control (MAC) protocol specification (Release 6)，3GPP TS25.321 v6.5.0，2005年6月
【非特許文献２】3rd Generation Partnership Project;Technical Specification Group Radio Access Network;FDD Enhanced Uplink;Overall description;Stage 2(Release 6)，3GPP TS 25.309 V6.3.0，2005年6月
【発明の開示】
【発明が解決しようとする課題】
【００２４】
しかしながら、以上に説明したEUDCHにおけるSG更新には以下のような問題点がある。
以下、Ｅ−ＴＦＣインデックス値がiであることをＥ−ＴＦＣｉと表記することとする。
さらにＳＧインデックス値がjであることをＳＧインデックスjと表記することとする。【００２５】
図1に示すように、E-TFCが小さい領域ではPDU数が1つ増加することによるトランスポートブロックサイズの増加率が大きい。例えば、E-TFC4（トランスポートブロック内のPDU数は１）からE-TFC７（トランスポートブロック内のPDU数は２）では、トランスポートブロックサイズはほぼ2倍となるため、所要電力オフセットも3dB程度増加する。これはSGインデックスで示すと、3から6まで増加させる必要があることになる。なお、上述したように、RGを使用した場合、電力オフセットの増加は1ステップ刻みである。従って、E-TFC4で送信している移動局にE-TFC7が送信できるようSGを増加させようとすると、以下のような問題が生じる。【００２６】
例えば、移動局が時刻T0において図1におけるE-TFC4で送信し、その後RGのUPを受信したとする。このとき、時刻T0で送信に使用した電力オフセットはSGインデックス3であるため、これを1増加させたSGインデックス4を新たなSGとして、次の送信タイミングT1におけるE-TFCを選択する。しかし、図４のオフセットテーブルを参照するとSGインデックス4ではSGが(9/15)2であり、図14においてPDU数を一つ増加させたブロックサイズで送信できるE-TFC7（SGインデックス6）の電力オフセットの(13/15)2には不足している。そのため、時刻T1においても、時刻T0と同様に、E-TFC4をE-TFC4の電力オフセットであるSGインデックス3の電力オフセットで送信することになる。【００２７】
基地局は、時刻T1におけるE-TFCが増加されなかったため、再度RGのUPを移動局に送信する。しかし、SGの更新は時刻T1で実際に使用した電力オフセット、すなわちSGインデックス3を基準とするため、時刻T1でのE-TFC選択と同様に、次の送信タイミングT2 においてもSGインデックス3から1増加させたSGインデックス4を新たなSGインデックスとしてE-TFCを選択する。従って、時刻T2においてもE-TFC4しか選択できないことになる。【００２８】
このように、基地局が何度RG UPの通知を繰り返しても、移動局は現在よりも大きいE-TFCを選択できない状況に陥ってしまう。従って、現在のEUDCHでは、一旦PDU数が少ないE-TFCを選択してしまうと、基地局がいくらRGでUPを指示してもそれ以上高いE-TFCを選択できなくなり、移動局の伝送レートを増加させることができず、ユーザスループットが著しく劣化するという問題点がある。【００２９】
また、このような場合、先に説明したAGを用いて、所望のSGで直接増加させることもできるが、AGはSGインデックスそのものを通知するため、RGと比較して情報量が大きい。すなわち、AGを送信するためにはRGよりも多大なオーバヘッドを要することになり、システム全体のスループットの劣化に繋がるため問題である。【００３０】
本発明では以上のような問題点を解決することを目的とする。
【課題を解決するための手段】
【００３１】
上記課題を解決する第１の発明は、少なくとも基地局と移動局から構成される無線通信システムにおける信号送信方法であって、前記基地局が、前記移動局が使用してよい無線リソース量の変更要求を通知する信号を送信するステップと、前記移動局が、前記信号を受信するステップと、前記信号と前記信号の蓄積情報と所定時間前に使用した無線リソース量とに応じて前記移動局が使用してよい無線リソース量を更新するステップとを有することを特徴とする。【００３２】
上記課題を解決する第２の発明は、上述した発明において、前記移動局が前記更新した無線リソース量以下の無線リソース量で信号を送信するステップをさらに有することを特徴とする。【００３３】
上記課題を解決する第３の発明は、上述したいずれかの発明において、前記移動局は、前記移動局が前記無線リソース量の増加を指示する信号の受信結果に基づいて選択した前記移動局から前記基地局への信号の送信形式が、所定時間前に使用した信号の送信形式と同じである場合に前記蓄積情報を増加させるステップとをさらに有することを特徴とする。【００３４】
上記課題を解決する第４の発明は、上述したいずれかの発明において、前記移動局は、前記無線リソース量の増加を指示する信号の受信に基づいて更新した無線リソース量が、所定時間前の無線リソース量と同じである場合に前記蓄積情報を増加させるステップとをさらに有することを特徴とする。【００３５】
上記課題を解決する第５の発明は、上述したいずれかの発明において、前記移動局は、前記無線リソース量の増加を指示する信号の受信に基づいて更新した無線リソース量が、所定時間前の無線リソース量と前記蓄積情報とに基づく値と同じである場合に、前記蓄積情報を増加させるステップとをさらに有することを特徴とする。【００３６】
上記課題を解決する第６の発明は、上述したいずれかの発明において、前記移動局は、前記無線リソースの増加を指示する信号の受信に基づいて更新した無線リソース量と、無線リソース量から前記蓄積情報を引いた値とが同じである場合に、前記蓄積情報を増加させるステップをさらに有することを特徴とする。【００３７】
上記課題を解決する第７の発明は、上述したいずれかの発明において、前記移動局は、前記無線リソース増加を指示する信号を受信し、前記信号に基づいて選択した送信形式が、所定時間前に使用した送信形式と同じである場合に、前記蓄積情報を増加させるステップをさらに有することを特徴とする。【００３８】
上記課題を解決する第８の発明は、上述したいずれかの発明において、前記移動局は、前記無線リソース量の減少を指示する信号を受信したときに、前記蓄積情報を所定の初期値にリセットすることを特徴とする。【００３９】
上記課題を解決する第９の発明は、上述したいずれかの発明において、前記移動局は、前記所定時間前に使用した送信形式と異なる送信形式を選択した場合に、前記蓄積情報を所定の初期値にリセットすることを特徴とする。【００４０】
上記課題を解決する第１０の発明は、上述したいずれかの発明において、前記移動局は、前記移動局が使用して良いとされる無線リソース量と、前記所定時間前に使用した無線リソース量が異なる場合に、前記蓄積情報を所定の初期値にリセットすることを特徴とする。【００４１】
上記課題を解決する第１１の発明は、上述したいずれかの発明において、前記移動局は、前記無線リソースの増加を指示する信号の受信に基づいて更新した前記無線リソース量と、前記無線リソース量から前記蓄積情報を引いた値とが異なる場合に前記蓄積情報を所定の初期値にリセットすることを特徴とする。【００４２】
上記課題を解決する第１２の発明は、上述したいずれかの発明において、前記移動局は、前記移動局が使用してよい無線リソース量の絶対値に対応する情報を前記基地局から受信するステップと、前記絶対値に対応する情報を受信すると前記蓄積情報を所定の初期値にリセットすることを特徴とする。【００４３】
上記課題を解決する第１３の発明は、上述したいずれかの発明において、前記所定の初期値を0とすることを特徴とする。【００４４】
上記課題を解決する第１４の発明は、上述したいずれかの発明において、前記移動局は、前記無線リソース減少を指示する信号を受信したときに、前記蓄積情報を減少させることを特徴とする。【００４５】
上記課題を解決する第１５の発明は、上述したいずれかの発明において、前記移動局は、第1の基地局から該移動局が使用してよい無線リソース量の変更要求を通知する信号を受信するとその結果に基づいて前記蓄積情報を更新し、第2の基地局から受信する該移動局が使用してよい無線リソース量の減少を通知する信号を受信しても前記蓄積情報を変更しないことを特徴とする。【００４６】
上記課題を解決する第１６の発明は、少なくとも基地局と移動局から構成される無線通信システムにおける信号送信方法であって、前記基地局が、前記移動局が使用してよい無線リソース量の変更要求を通知する信号を送信するステップと、前記移動局が、前記信号を受信するステップと、前記信号が前記移動局の無線リソース量のスケジューリングを行う基地局からの該移動局が使用してよい無線リソース量の変更要求を通知する信号であった場合にその結果に基づいて前記蓄積情報を更新するステップと、前記信号と前記信号の蓄積情報と所定時間前に使用した無線リソース量とに応じて前記移動局が使用してよい無線リソース量を更新するステップとを有することを特徴とする。【００４７】
上記課題を解決する第１７の発明は、上述したいずれかの発明において、前記所定時間前に使用した送信形式が、所定の送信形式のサブセットに属さない場合は、前記蓄積情報を変更しないことを特徴とする。【００４８】
上記課題を解決する第１８の発明は、上述したいずれかの発明において、前記所定時間前に使用した送信形式が所定の送信形式のサブセットに属する場合にのみ、前記移動局が前記無線リソース量の増加を指示する信号を受信に基づいて前記蓄積情報の増加させることを特徴とする。【００４９】
上記課題を解決する第１９の発明は、上述したいずれかの発明において、前記所定時間前に使用した送信形式が、所定の送信形式のサブセットに属さない場合は、前記移動局が前記無線リソース量の減少を指示する信号を受信したときに前記蓄積情報を0とすることを特徴とする。【００５０】
上記課題を解決する第２０の発明は、上述したいずれかの発明において、前記送信形式は、E-TFCであることを特徴とする。【００５１】
上記課題を解決する第２１の発明は、上述したいずれかの発明において、前記無線リソース量とは、無線通信チャネルの送信電力に関する値であることを特徴とする。【００５２】
上記課題を解決する第２２の発明は、上述したいずれかの発明において、前記無線リソース量とは、移動局から基地局への上りチャネルの電力オフセットであることを特徴とする。【００５３】
上記課題を解決する第２３の発明は、上述したいずれかの発明において、前記移動局は、前記上りチャネルの電力オフセットを、閉ループ型送信電力制御により所定の受信品質となるよう制御された個別チャネルの送信電力に対する電力オフセットとすることを特徴とする。【００５４】
上記課題を解決する第２４の発明は、上述したいずれかの発明において、前記蓄積情報が所定の最大値に達している場合は、前記蓄積情報を増加させないことを特徴とする。【００５５】
上記課題を解決する第２５の発明は、少なくとも基地局と移動局から構成される無線通信システムにおける信号送信方法であって、前記基地局が移動局の許諾無線リソース量を相対的に制御する信号を送信するステップと、前記移動局が前記信号を受信するステップと、前記制御信号と前記許諾無線リソース量の変更要求の結果と所定時間前に使用した無線リソースの大きさに応じて前記許諾無線リソース量を更新するステップとを有することを特徴とする。【００５６】
上記課題を解決する第２６の発明は、上述したいずれかの発明において、前記移動局が前記更新した許諾無線リソース量以下の無線リソース量で信号を送信するステップをさらに有することを特徴とする。【００５７】
上記課題を解決する第２７の発明は、上述したいずれかの発明において、前記無線リソース量とは、無線通信チャネルの送信電力に関する値であることを特徴とする。【００５８】
上記課題を解決する第２８の発明は、上述したいずれかの発明において、前記無線リソース量とは、移動局から基地局への上りチャネルの電力オフセットであることを特徴とする。【００５９】
上記課題を解決する第２９の発明は、上述したいずれかの発明において、前記移動局は、前記上りチャネルの電力オフセットを、閉ループ型送信電力制御により所定の受信品質となるよう制御された個別チャネルの送信電力に対する電力オフセットとすることを特徴とする。【００６０】
上記課題を解決する第３０の発明は、第一の通信局が第二の通信局の許諾無線リソース量を相対的に制御する信号を送信するステップと、前記第二の通信局が前記制御信号を受信するステップと、前記制御信号と前記許諾無線リソース量の変更要求の結果と所定時間前に使用した無線リソースの大きさに応じて前記許諾無線リソース量を更新するステップとを有することを特徴とする。【００６１】
上記課題を解決する第３１の発明は、上述したいずれかの発明において、前記第二の通信局が前記更新した許諾無線リソース量以下の無線リソース量で信号を送信するステップをさらに有することを特徴とする。【００６２】
上記課題を解決する第３２の発明は、少なくとも基地局と移動局から構成される無線通信システムであって、前記基地局は、前記移動局が使用してよい無線リソース量の変更要求を通知する信号を送信する手段を有し、前記移動局は、前記信号を受信する手段と、前記信号と前記信号の蓄積情報と所定時間前に使用した無線リソース量とに応じて前記移動局が使用してよい無線リソース量を更新する更新手段とを有することを特徴とする。【００６３】
上記課題を解決する第３３の発明は、上述したいずれかの発明において、前記移動局は、前記移動局が前記無線リソース量の増加を指示する信号の受信結果に基づいて選択した、前記移動局から前記移動局への信号の送信形式が、所定時間前に使用した信号の送信形式と同じである場合に前記蓄積情報を増加させる蓄積情報計測手段をさらに有することを特徴とする。【００６４】
上記課題を解決する第３４の発明は、上述したいずれかの発明において、前記移動局は、前記無線リソース量の増加を指示する信号を受信に基づいて更新した無線リソース量が、所定時間前の無線リソース量と同じである場合に前記蓄積情報を増加させる蓄積情報計測手段をさらに有することを特徴とする。【００６５】
上記課題を解決する第３５の発明は、上述したいずれかの発明において、前記移動局は、前記無線リソース量の増加を指示する信号の受信に基づいて更新した無線リソース量が、所定時間前のリソース量と前記蓄積情報とに基づく値と同じである場合に、前記蓄積情報を増加させる蓄積情報計測手段とをさらに有することを特徴とする。【００６６】
上記課題を解決する第３６の発明は、上述したいずれかの発明において、前記移動局は、前記無線リソースの増加を指示する信号の受信に基づいて更新した無線リソース量と、無線リソース量から前記蓄積情報を引いた値とが同じである場合に、前記蓄積情報を増加させる蓄積情報計測手段とをさらに有することを特徴とする。【００６７】
上記課題を解決する第３７の発明は、上述したいずれかの発明において、前記移動局は、前記無線リソース増加を指示する信号を受信し、前記信号に基づいて選択した送信形式が、所定時間前に使用した送信形式と同じである場合に、前記蓄積情報を増加させる蓄積情報計測手段とをさらに有することを特徴とする。【００６８】
上記課題を解決する第３８の発明は、上述したいずれかの発明において、前記移動局は、前記更新した無線リソース量以下の無線リソース量で信号を送信する送信手段と、前記送信手段が信号を送信した電力を測定する送信電力計測部と前記送信電力計測部の測定結果と前記更新手段が更新した前記移動局が使用して良い無線リソース量から前記送信手段からの信号の送信形式を選択する選択手段とをさらに有することを特徴とする。【００６９】
上記課題を解決する第３９の発明は、上述したいずれかの発明において、前記移動局の前記蓄積情報計測手段は、前記無線リソース量の減少を指示する信号を受信したときに、前記蓄積情報を所定の初期値にリセットすることを特徴とする。【００７０】
上記課題を解決する第４０の発明は、上述したいずれかの発明において、前記移動局の前記蓄積情報計測手段は、前記選択手段が前記所定時間前に使用した送信形式と異なる送信形式を選択した場合に前記蓄積情報を所定の初期値にリセットすることを特徴とする。【００７１】
上記課題を解決する第４１の発明は、上述したいずれかの発明において、前記移動局の前記蓄積情報計測手段は、前記移動局が使用して良いとされる無線リソース量と、前記所定時間前に使用した無線リソース量が異なる場合に、前記蓄積情報を所定の初期値にリセットすることを特徴とする。【００７２】
上記課題を解決する第４２の発明は、上述したいずれかの発明において、前記移動局の前記蓄積情報計測手段は、前記無線リソースの増加を指示する信号の受信に基づいて更新した前記無線リソース量と、前記無線リソース量から前記蓄積情報を引いた値とが異なる場合に前記蓄積情報を所定の初期値にリセットすることを特徴とする。【００７３】
上記課題を解決する第４３の発明は、上述したいずれかの発明において、前記移動局の前記蓄積情報計測手段は、前記移動局が使用してよい無線リソース量の絶対値に対応する情報を前記基地局から受信する手段と、前記絶対値に対応する情報を受信すると前記蓄積情報を所定の初期値にリセットすることを特徴とする。【００７４】
上記課題を解決する第４４の発明は、上述したいずれかの発明において、前記所定の初期値を0とすることを特徴とする。【００７５】
上記課題を解決する第４５の発明は、上述したいずれかの発明において、前記移動局の前記蓄積情報計測手段は、前記無線リソース減少を指示する信号を受信したときに、前記蓄積情報を減少させることを特徴とする。【００７６】
上記課題を解決する第４６の発明は、上述したいずれかの発明において、前記移動局の前記蓄積情報計測手段は、第1の基地局から該移動局が使用してよい無線リソース量の変更要求を通知する信号を受信するとその結果に基づいて前記蓄積情報を更新し、第2の基地局から受信する該移動局が使用してよい無線リソース量の減少を通知する信号を受信しても前記蓄積情報を変更しないことを特徴とする。【００７７】
上記課題を解決する第４７の発明は、少なくとも基地局と移動局から構成される無線通信システムであって、前記基地局は、前記移動局が使用してよい無線リソース量の変更要求を通知する信号を送信する手段を有し、前記移動局は、前記信号を受信する手段と、前記信号が前記移動局の無線リソース量のスケジューリングを行う基地局からの該移動局が使用してよい無線リソース量の変更要求を通知する信号であった場合にその結果に基づいて前記蓄積情報を計測する計測手段と、前記信号と前記信号の蓄積情報と所定時間前に使用した無線リソース量とに応じて前記移動局が使用してよい無線リソース量を更新する更新手段とを有することを特徴とする。【００７８】
上記課題を解決する第４８の発明は、上述したいずれかの発明において、前記所定時間前に使用した送信形式が、所定の送信形式のサブセットに属さない場合は、前記蓄積情報を変更しないことを特徴とする。【００７９】
上記課題を解決する第４９の発明は、上述したいずれかの発明において、前記所定時間前に使用した送信形式が、所定の送信形式のサブセットに属する場合にのみ、前記移動局が前記無線リソース量の増加を指示する信号を受信に基づいて前記蓄積情報の増加させることを特徴とする。【００８０】
上記課題を解決する第５０の発明は、上述したいずれかの発明において、前記所定時間前に使用した送信形式が、所定の送信形式のサブセットに属さない場合は、前記移動局が前記無線リソース量の減少を指示する信号を受信したときに前記蓄積情報を0とすることを特徴とする。【００８１】
上記課題を解決する第５１の発明は、上述したいずれかの発明において、前記送信形式は、E-TFCであることを特徴とする。【００８２】
上記課題を解決する第５２の発明は、上述したいずれかの発明において、前記無線リソース量とは、無線通信チャネルの送信電力に関する値であることを特徴とする。【００８３】
上記課題を解決する第５３の発明は、上述したいずれかの発明において、前記無線リソース量とは、移動局から基地局への上りチャネルの電力オフセットであることを特徴とする。【００８４】
上記課題を解決する第５４の発明は、上述したいずれかの発明において、前記移動局は、前記上りチャネルの電力オフセットを、閉ループ型送信電力制御により所定の受信品質となるよう制御された個別チャネルの送信電力に対する電力オフセットとすることを特徴とする。【００８５】
上記課題を解決する第５５の発明は、上述したいずれかの発明において、前記蓄積情報が所定の最大値に達している場合は、前記蓄積情報を増加させないことを特徴とする。【００８６】
上記課題を解決する第５６の発明は、少なくとも基地局と移動局から構成される無線通信システムであって、前記基地局は移動局の許諾無線リソース量を相対的に制御する信号を送信する手段を有し、前記移動局は前記信号を受信する手段と、前記制御信号と前記許諾無線リソース量の変更要求の結果と所定時間前に使用した無線リソースの大きさに応じて前記許諾無線リソース量を更新する手段とを有することを特徴とする。【００８７】
上記課題を解決する第５７の発明は、上述したいずれかの発明において、前記移動局は、前記更新した許諾無線リソース量以下の無線リソース量で信号を送信する手段をさらに有することを特徴とする。【００８８】
上記課題を解決する第５８の発明は、上述したいずれかの発明において、前記無線リソース量とは、無線通信チャネルの送信電力に関する値であることを特徴とする。【００８９】
上記課題を解決する第５９の発明は、上述したいずれかの発明において、前記無線リソース量とは、移動局から基地局への上りチャネルの電力オフセットであることを特徴とする。【００９０】
上記課題を解決する第６０の発明は、上述したいずれかの発明において、前記移動局は、前記上りチャネルの電力オフセットを、閉ループ型送信電力制御により所定の受信品質となるよう制御された個別チャネルの送信電力に対する電力オフセットとすることを特徴とする。【００９１】
上記課題を解決する第６１の発明は、少なくとも第一の通信局が第二の通信局からなる無線通信システムであって、第一の通信局は、前記第二の通信局の許諾無線リソース量を相対的に制御する信号を送信する手段を有し、前記第二の通信局は、前記制御信号を受信する手段と、前記制御信号と前記許諾無線リソース量の変更要求の結果と所定時間前に使用した無線リソースの大きさに応じて前記許諾無線リソース量を更新する手段とを有することを特徴とする。【００９２】
上記課題を解決する第６２の発明は、上述したいずれかの発明において、前記第二の通信局が前記更新した許諾無線リソース量以下の無線リソース量で信号を送信する手段をさらに有することを特徴とする。【００９３】
上記課題を解決する第６３の発明は、無線通信システムにおける移動局であって、基地局から自局が使用してよい無線リソース量の変更要求を通知する信号を受信する手段と、前記信号と前記信号の蓄積情報と所定時間前に使用した無線リソース量とに応じて自局が使用してよい無線リソース量を更新する更新手段とを有することを特徴とする。【００９４】
上記課題を解決する第６４の発明は、前記自局の無線リソース量の増加を指示する信号の受信結果に基づいて選択した、自局から基地局への信号の送信形式が、所定時間前に使用した信号の送信形式と同じである場合の回数を前記蓄積情報として計測する蓄積情報計測手段をさらに有することを特徴とする。【００９５】
上記課題を解決する第６５の発明は、上述したいずれかの発明において、前記無線リソース量の増加を指示する信号を受信に基づいて更新した無線リソース量が、所定時間前の無線リソース量と同じである場合に前記蓄積情報を増加させる蓄積情報計測手段とをさらに有することを特徴とする。【００９６】
上記課題を解決する第６６の発明は、上述したいずれかの発明において、前記無線リソース量の増加を指示する信号の受信に基づいて更新した無線リソース量が、所定時間前のリソース量と前記蓄積情報とに基づく値と同じである場合に、前記蓄積情報を増加させる蓄積情報計測手段とをさらに有することを特徴とする。【００９７】
上記課題を解決する第６７の発明は、上述したいずれかの発明において、前記無線リソースの増加を指示する信号の受信に基づいて更新した無線リソース量と、無線リソース量から前記蓄積情報を引いた値とが同じである場合に、前記蓄積情報を増加させる蓄積情報計測手段とをさらに有することを特徴とする。【００９８】
上記課題を解決する第６８の発明は、上述したいずれかの発明において、前記無線リソース増加を指示する信号を受信し、前記信号に基づいて選択した送信形式が、所定時間前に使用した送信形式と同じである場合に、前記蓄積情報を増加させる蓄積情報計測手段をさらに有することを特徴とする。【００９９】
上記課題を解決する第６９の発明は、上述したいずれかの発明において、前記蓄積情報計測手段は、前記無線リソース量の減少を指示する信号を受信したときに、前記蓄積情報を所定の初期値にリセットすることを特徴とする。【０１００】
上記課題を解決する第７０の発明は、上述したいずれかの発明において、前記更新した無線リソース量以下の無線リソース量で信号を送信する送信手段と、前記送信手段が信号を送信した電力を測定する送信電力計測部と前記送信電力計測部の測定結果と前記更新手段が更新した前記移動局が使用して良い無線リソース量から前記送信手段からの信号の送信形式を選択する選択手段とをさらに有することを特徴とする。【０１０１】
上記課題を解決する第７１の発明は、上述したいずれかの発明において、前記蓄積情報計測手段は、前記選択手段が前記所定時間前に使用した送信形式と異なる送信形式を選択した場合に前記蓄積情報を所定の初期値にリセットすることを特徴とする。【０１０２】
上記課題を解決する第７２の発明は、上述したいずれかの発明において、前記蓄積情報計測手段は、自局が使用して良いとされる無線リソース量と、前記所定時間前に使用した無線リソース量が異なる場合に、前記蓄積情報を所定の初期値にリセットすることを特徴とする。【０１０３】
上記課題を解決する第７３の発明は、上述したいずれかの発明において、前記蓄積情報計測手段は、前記無線リソースの増加を指示する信号の受信に基づいて更新した前記無線リソース量と、前記無線リソース量から前記蓄積情報を引いた値とが異なる場合に前記蓄積情報を所定の初期値にリセットすることを特徴とする。【０１０４】
上記課題を解決する第７４の発明は、上述したいずれかの発明において、前記蓄積情報計測手段は、自局が使用してよい無線リソース量の絶対値に対応する情報を基地局から受信する手段と、前記絶対値に対応する情報を受信すると前記蓄積情報を所定の初期値にリセットすることを特徴とする。【０１０５】
上記課題を解決する第７５の発明は、上述したいずれかの発明において、前記所定の初期値を0とすることを特徴とする。【０１０６】
上記課題を解決する第７６の発明は、上述したいずれかの発明において、前記蓄積情報計測手段は、前記無線リソース減少を指示する信号を受信したときに、前記蓄積情報を減少させることを特徴とする。【０１０７】
上記課題を解決する第７７の発明は、上述したいずれかの発明において、前記蓄積情報計測手段は、第１の基地局から自局が使用してよい無線リソース量の変更要求を通知する信号を受信するとその結果に基づいて前記蓄積情報を更新し、第２の基地局から受信する自局が使用してよい無線リソース量の減少を通知する信号を受信しても前記蓄積情報を変更しないことを特徴とする。【０１０８】
上記課題を解決する第７８の発明は、上述したいずれかの発明において、無線通信システムにおける移動局であって、基地局から自局が使用してよい無線リソース量の変更要求を通知する信号を受信する手段と、前記信号が自局の無線リソース量のスケジューリングを行う基地局からの、自局が使用してよい無線リソース量の変更要求を通知する信号であった場合にその結果に基づいて前記蓄積情報を計測する計測手段と、前記信号と前記信号の蓄積情報と所定時間前に使用した無線リソース量とに応じて自局が使用してよい無線リソース量を更新する更新手段とを有することを特徴とする。【０１０９】
上記課題を解決する第７９の発明は、上述したいずれかの発明において、前記所定時間前に使用した送信形式が、所定の送信形式のサブセットに属さない場合は、前記蓄積情報を変更しないことを特徴とする。【０１１０】
上記課題を解決する第８０の発明は、上述したいずれかの発明において、前記所定時間前に使用した送信形式が、所定の送信形式のサブセットに属する場合にのみ、前記移動局が前記無線リソース量の増加を指示する信号を受信に基づいて前記蓄積情報の増加させることを特徴とする。【０１１１】
上記課題を解決する第８１の発明は、上述したいずれかの発明において、前記所定時間前に使用した送信形式が、所定の送信形式のサブセットに属さない場合は、前記移動局が前記無線リソース量の減少を指示する信号を受信したときに前記蓄積情報を0とすることを特徴とする。【０１１２】
上記課題を解決する第８２の発明は、上述したいずれかの発明において、前記送信形式は、E-TFCであることを特徴とする。【０１１３】
上記課題を解決する第８３の発明は、上述したいずれかの発明において、前記無線リソース量とは、無線通信チャネルの送信電力に関する値であることを特徴とする。【０１１４】
上記課題を解決する第８４の発明は、上述したいずれかの発明において、前記無線リソース量とは、自局から基地局への上りチャネルの電力オフセットであることを特徴とする。【０１１５】
上記課題を解決する第８５の発明は、上述したいずれかの発明において、自局から基地局へのチャネルの電力オフセットを、閉ループ型送信電力制御により所定の受信品質となるよう制御された個別チャネルの送信電力に対する電力オフセットとすることを特徴とする。【０１１６】
上記課題を解決する第８６の発明は、上述したいずれかの発明において、前記蓄積情報が所定の最大値に達している場合は、前記蓄積情報を増加させないことを特徴とする。【０１１７】
上記課題を解決する第８７の発明は、無線通信システムにおける移動局であって、基地局から自局の許諾無線リソース量を相対的に制御する信号を受信する手段と、前記制御信号と前記許諾無線リソース量の変更要求の結果と所定時間前に使用した無線リソースの大きさに応じて前記許諾無線リソース量を更新する手段とを有することを特徴とする。【０１１８】
上記課題を解決する第８８の発明は、上述したいずれかの発明において、前記更新した許諾無線リソース量以下の無線リソース量で信号を送信する手段をさらに有することを特徴とする。【０１１９】
上記課題を解決する第８９の発明は、上述したいずれかの発明において、前記無線リソース量とは、無線通信チャネルの送信電力に関する値であることを特徴とする。【０１２０】
上記課題を解決する第９０の発明は、上述したいずれかの発明において、前記無線リソース量とは、自局から基地局への上りチャネルの電力オフセットであることを特徴とする。【０１２１】
上記課題を解決する第９１の発明は、上述したいずれかの発明において、自局から基地局へのチャネルの電力オフセットを、閉ループ型送信電力制御により所定の受信品質となるよう制御された個別チャネルの送信電力に対する電力オフセットとすることを特徴とする。【０１２２】
上記課題を解決する第９２の発明は、無線通信システムにおける移動局であって、基地局から自局の許諾無線リソース量を相対的に制御する信号を受信する手段と、前記制御信号と前記許諾無線リソース量の変更要求の結果と所定時間前に使用した無線リソースの大きさに応じて前記許諾無線リソース量を更新する手段とを有することを特徴とする。【０１２３】
上記課題を解決する第９３の発明は、上述したいずれかの発明において、前記更新した許諾無線リソース量以下の無線リソース量で信号を送信する手段をさらに有することを特徴とする。【０１２４】
上記課題を解決する第９４の発明は、上述したいずれかの発明において、前記移動局に対して、前記移動局が使用してよい無線リソース量の変更要求を通知する信号を送信することを特徴とする基地局である。【０１２５】
上記課題を解決する第９５の発明は、無線通信システムの移動局における信号送信方法であって、基地局から自局が使用してよい無線リソース量の変更要求を通知する信号を受信するステップと、前記信号と前記信号の蓄積情報と所定時間前に使用した無線リソース量とに応じて前記移動局が使用してよい無線リソース量を更新するステップとを有することを特徴とする。【０１２６】
上記課題を解決する第９６の発明は、上述したいずれかの発明において、前記更新した無線リソース量以下の無線リソース量で信号を送信するステップをさらに有することを特徴とする。【０１２７】
上記課題を解決する第９７の発明は、上述したいずれかの発明において、前記蓄積情報とは、前記無線リソース量の増加を指示する信号の受信結果に基づいて選択した、前記通信局から基地局への信号の送信形式が、所定時間前に使用した信号の送信形式と同じである場合に前記蓄積情報を増加させるステップをさらに有することを特徴とする。【０１２８】
上記課題を解決する第９８の発明は、上述したいずれかの発明において、前記無線リソース量の増加を指示する信号の受信結果に基づいて更新した無線リソース量が、所定時間前の無線リソース量と同じである場合に前記蓄積情報を増加させるステップをさらに有することを特徴とする。【０１２９】
上記課題を解決する第９９の発明は、上述したいずれかの発明において、前記無線リソース量の増加を指示する信号の受信に基づいて更新した無線リソース量が、所定時間前の無線リソース量と前記蓄積情報とに基づく値と同じである場合に、前記蓄積情報を増加させるステップをさらに有することを特徴とする。【０１３０】
上記課題を解決する第１００の発明は、上述したいずれかの発明において、前記無線リソースの増加を指示する信号の受信に基づいて更新した無線リソース量と、無線リソース量から前記蓄積情報を引いた値とが同じである場合に、前記蓄積情報を増加するステップをさらに有することを特徴とする。【０１３１】
上記課題を解決する第１０１の発明は、上述したいずれかの発明において、前記無線リソース増加を指示する信号を受信し、前記信号に基づいて選択した送信形式が、所定時間前に使用した送信形式と同じである場合に、前記蓄積情報を増加させるステップをさらに有することを特徴とする。【０１３２】
上記課題を解決する第１０２の発明は、上述したいずれかの発明において、前記無線リソース量の減少を指示する信号を受信したときに、前記蓄積情報を所定の初期値にリセットすることを特徴とする。【０１３３】
上記課題を解決する第１０３の発明は、上述したいずれかの発明において、前記所定時間前に使用した送信形式と異なる送信形式を選択した場合に、前記蓄積情報を所定の初期値にリセットすることを特徴とする。【０１３４】
上記課題を解決する第１０４の発明は、上述したいずれかの発明において、自局が使用して良いとされる無線リソース量と、前記所定時間前に使用した無線リソース量が異なる場合に、前記蓄積情報を所定の初期値にリセットすることを特徴とする。【０１３５】
上記課題を解決する第１０５の発明は、上述したいずれかの発明において、前記無線リソースの増加を指示する信号の受信に基づいて更新した前記無線リソース量と、前記無線リソース量から前記蓄積情報を引いた値とが異なる場合に前記蓄積情報を所定の初期値にリセットすることを特徴とする。【０１３６】
上記課題を解決する第１０６の発明は、上述したいずれかの発明において、自局が使用してよい無線リソース量の絶対値に対応する情報を基地局から受信するステップと、前記絶対値に対応する情報を受信すると前記蓄積情報を所定の初期値にリセットすることを特徴とする。【０１３７】
上記課題を解決する第１０７の発明は、上述したいずれかの発明において、前記所定の初期値を0とすることを特徴とする。【０１３８】
上記課題を解決する第１０８の発明は、上述したいずれかの発明において、前記無線リソース減少を指示する信号を受信したときに、前記蓄積情報を減少させることを特徴とする。【０１３９】
上記課題を解決する第１０９の発明は、上述したいずれかの発明において、第1の他の基地局から該移動局が使用してよい無線リソース量の変更要求を通知する信号を受信するとその結果に基づいて前記蓄積情報を更新し、第2の他の基地局から受信する該移動局が使用してよい無線リソース量の減少を通知する信号を受信しても前記蓄積情報を変更しないことを特徴とする。【０１４０】
上記課題を解決する第１１０の発明は、無線通信システムの通信局における信号送信方法であって、基地局から自局が使用してよい無線リソース量の変更要求を通知する信号を受信するステップと、前記信号が自局の無線リソース量のスケジューリングを行う基地局からの信号であった場合にその結果に基づいて前記蓄積情報を更新するステップと、前記信号と前記信号の蓄積情報と所定時間前に使用した無線リソース量とに応じて自局が使用してよい無線リソース量を更新するステップとを有することを特徴とする。【０１４１】
上記課題を解決する第１１１の発明は、上述したいずれかの発明において、前記所定時間前に使用した送信形式が、所定の送信形式のサブセットに属さない場合は、前記蓄積情報を変更しないことを特徴とする。【０１４２】
上記課題を解決する第１１２の発明は、上述したいずれかの発明において、前記所定時間前に使用した送信形式が所定の送信形式のサブセットに属する場合にのみ、前記無線リソース量の増加を指示する信号を受信に基づいて前記蓄積情報の増加させることを特徴とする。【０１４３】
上記課題を解決する第１１３の発明は、上述したいずれかの発明において、前記所定時間前に使用した送信形式が、所定の送信形式のサブセットに属さない場合は、前記無線リソース量の減少を指示する信号を受信したときに前記蓄積情報を0とすることを特徴とする。【０１４４】
上記課題を解決する第１１４の発明は、上述したいずれかの発明において、前記送信形式は、E-TFCであることを特徴とする。【０１４５】
上記課題を解決する第１１５の発明は、上述したいずれかの発明において、前記無線リソース量とは、無線通信チャネルの送信電力に関する値であることを特徴とする。【０１４６】
上記課題を解決する第１１６の発明は、上述したいずれかの発明において、前記無線リソース量とは、自局から他局への上りチャネルの電力オフセットであることを特徴とする。【０１４７】
上記課題を解決する第１１７の発明は、上述したいずれかの発明において、前記移動局は、前記自局から他局への上りチャネルの電力オフセットを、閉ループ型送信電力制御により所定の受信品質となるよう制御された個別チャネルの送信電力に対する電力オフセットとすることを特徴とする。【０１４８】
上記課題を解決する第１１８の発明は、上述したいずれかの発明において、前記蓄積情報が所定の最大値に達している場合は、前記蓄積情報を増加させないことを特徴とする。【０１４９】
上記課題を解決する第１１９の発明は、無線通信システムの通信局における信号送信方法であって、基地局から自局の許諾無線リソース量を相対的に制御する信号を受信するステップと、前記制御信号と前記許諾無線リソース量の変更要求の結果と所定時間前に使用した無線リソースの大きさに応じて前記許諾無線リソース量を更新するステップとを有することを特徴とする。【０１５０】
上記課題を解決する第１２０の発明は、上述したいずれかの発明において、自局から基地局に前記更新した許諾無線リソース量以下の無線リソース量で信号を送信するステップをさらに有することを特徴とする。【０１５１】
上記課題を解決する第１２１の発明は、上述したいずれかの発明において、前記無線リソース量とは、無線通信チャネルの送信電力に関する値であることを特徴とする。【０１５２】
上記課題を解決する第１２２の発明は、上述したいずれかの発明において、前記無線リソース量とは、自局から基地局への上りチャネルの電力オフセットであることを特徴とする。【０１５３】
上記課題を解決する第１２３の発明は、上述したいずれかの発明において、前記上りチャネルの電力オフセットを、閉ループ型送信電力制御により所定の受信品質となるよう制御された個別チャネルの送信電力に対する電力オフセットとすることを特徴とする。【０１５４】
上記課題を解決する第１２４の発明は、無線通信システムにおける通信局であって、他の通信局から自局が使用してよい無線リソース量の変更要求を通知する信号を受信する手段と、前記信号と前記信号の蓄積情報と所定時間前に使用した無線リソース量とに応じて自局が使用してよい無線リソース量を更新する更新手段とを有することを特徴とする。【０１５５】
上記課題を解決する第１２５の発明は、上述したいずれかの発明において、前記自局の無線リソース量の増加を指示する信号の受信結果に基づいて選択した、自局から他の通信局への信号の送信形式が、所定時間前に使用した信号の送信形式と同じである場合の回数を前記蓄積情報として計測する蓄積情報計測手段をさらに有することを特徴とする。【０１５６】
上記課題を解決する第１２６の発明は、上述したいずれかの発明において、前記無線リソース量の増加を指示する信号を受信に基づいて更新した無線リソース量が、所定時間前の無線リソース量と同じである場合に前記蓄積情報を増加させる蓄積情報計測手段とをさらに有することを特徴とする。【０１５７】
上記課題を解決する第１２７の発明は、上述したいずれかの発明において、前記無線リソース量の増加を指示する信号の受信に基づいて更新した無線リソース量が、所定時間前のリソース量と前記蓄積情報とに基づく値と同じである場合に、前記蓄積情報を増加させる蓄積情報計測手段とをさらに有することを特徴とする。【０１５８】
上記課題を解決する第１２８の発明は、上述したいずれかの発明において、前記無線リソースの増加を指示する信号の受信に基づいて更新した無線リソース量と、無線リソース量から前記蓄積情報を引いた値とが同じである場合に、前記蓄積情報を増加させる蓄積情報計測手段とをさらに有することを特徴とする。【０１５９】
上記課題を解決する第１２９の発明は、上述したいずれかの発明において、前記無線リソース増加を指示する信号を受信し、前記信号に基づいて選択した送信形式が、所定時間前に使用した送信形式と同じである場合に、前記蓄積情報を増加させる蓄積情報計測手段とをさらに有することを特徴とする。【０１６０】
上記課題を解決する第１３０の発明は、上述したいずれかの発明において、前記蓄積情報計測手段は、前記無線リソース量の減少を指示する信号を受信したときに、前記蓄積情報を所定の初期値にリセットすることを特徴とする。【０１６１】
上記課題を解決する第１３１の発明は、上述したいずれかの発明において、前記更新した無線リソース量以下の無線リソース量で信号を送信する送信手段と、前記送信手段が信号を送信した電力を測定する送信電力計測部と前記送信電力計測部の測定結果と前記更新手段が更新した前記移動局が使用して良い無線リソース量から前記送信手段からの信号の送信形式を選択する選択手段とをさらに有することを特徴とする。【０１６２】
上記課題を解決する第１３２の発明は、上述したいずれかの発明において、前記蓄積情報計測手段は、前記選択手段が前記所定時間前に使用した送信形式と異なる送信形式を選択した場合に前記蓄積情報を所定の初期値にリセットすることを特徴とする。【０１６３】
上記課題を解決する第１３３の発明は、上述したいずれかの発明において、前記蓄積情報計測手段は、前記通信局が使用して良いとされる無線リソース量と、前記所定時間前に使用した無線リソース量が異なる場合に、前記蓄積情報を所定の初期値にリセットすることを特徴とする。【０１６４】
上記課題を解決する第１３４の発明は、上述したいずれかの発明において、前記蓄積情報計測手段は、前記無線リソースの増加を指示する信号の受信に基づいて更新した前記無線リソース量と、前記無線リソース量から前記蓄積情報を引いた値とが異なる場合に前記蓄積情報を所定の初期値にリセットすることを特徴とする。【０１６５】
上記課題を解決する第１３５の発明は、上述したいずれかの発明において、前記蓄積情報計測手段は、自局が使用してよい無線リソース量の絶対値に対応する情報を他の通信局から受信する手段と、前記絶対値に対応する情報を受信すると前記蓄積情報を所定の初期値にリセットすることを特徴とする。【０１６６】
上記課題を解決する第１３６の発明は、上述したいずれかの発明において、前記所定の初期値を0とすることを特徴とする。【０１６７】
上記課題を解決する第１３７の発明は、上述したいずれかの発明において、前記蓄積情報計測手段は、前記無線リソース減少を指示する信号を受信したときに、前記蓄積情報を減少させることを特徴とする。【０１６８】
上記課題を解決する第１３８の発明は、上述したいずれかの発明において、前記蓄積情報計測手段は、第１の他の通信局から自局が使用してよい無線リソース量の変更要求を通知する信号を受信するとその結果に基づいて前記蓄積情報を更新し、第２の他の通信局から受信する自局が使用してよい無線リソース量の減少を通知する信号を受信しても前記蓄積情報を変更しないことを特徴とする。【０１６９】
上記課題を解決する第１３９の発明は、無線通信システムにおける通信局であって、他の通信局から自局が使用してよい無線リソース量の変更要求を通知する信号を受信する手段と、前記信号が自局の無線リソース量のスケジューリングを行う他の通信局からの、自局が使用してよい無線リソース量の変更要求を通知する信号であった場合にその結果に基づいて前記蓄積情報を計測する計測手段と、前記信号と前記信号の蓄積情報と所定時間前に使用した無線リソース量とに応じて自局が使用してよい無線リソース量を更新する更新手段とを有することを特徴とする。【０１７０】
上記課題を解決する第１４０の発明は、上述したいずれかの発明において、前記所定時間前に使用した送信形式が、所定の送信形式のサブセットに属さない場合は、前記蓄積情報を変更しないことを特徴とする。【０１７１】
上記課題を解決する第１４１の発明は、上述したいずれかの発明において、前記所定時間前に使用した送信形式が、所定の送信形式のサブセットに属する場合にのみ、前記移動局が前記無線リソース量の増加を指示する信号を受信に基づいて前記蓄積情報の増加させることを特徴とする。【０１７２】
上記課題を解決する第１４２の発明は、上述したいずれかの発明において、前記所定時間前に使用した送信形式が、所定の送信形式のサブセットに属さない場合は、前記移動局が前記無線リソース量の減少を指示する信号を受信したときに前記蓄積情報を0とすることを特徴とする。【０１７３】
上記課題を解決する第１４３の発明は、上述したいずれかの発明において、前記送信形式は、E-TFCであることを特徴とする。【０１７４】
上記課題を解決する第１４４の発明は、上述したいずれかの発明において、前記無線リソース量とは、無線通信チャネルの送信電力に関する値であることを特徴とする。【０１７５】
上記課題を解決する第１４５の発明は、上述したいずれかの発明において、前記無線リソース量とは、自局から他の通信局への上りチャネルの電力オフセットであることを特徴とする。【０１７６】
上記課題を解決する第１４６の発明は、上述したいずれかの発明において、自局から他の通信局へのチャネルの電力オフセットを、閉ループ型送信電力制御により所定の受信品質となるよう制御された個別チャネルの送信電力に対する電力オフセットとすることを特徴とする。【０１７７】
上記課題を解決する第１４７の発明は、上述したいずれかの発明において、前記蓄積情報が所定の最大値に達している場合は、前記蓄積情報を増加させないことを特徴とする。【０１７８】
上記課題を解決する第１４８の発明は、無線通信システムにおける通信局であって、他の通信局から自局の許諾無線リソース量を相対的に制御する信号を受信する手段と、前記制御信号と前記許諾無線リソース量の変更要求の結果と所定時間前に使用した無線リソースの大きさに応じて前記許諾無線リソース量を更新する手段とを有することを特徴とする。【０１７９】
上記課題を解決する第１４９の発明は、上述したいずれかの発明において、前記更新した許諾無線リソース量以下の無線リソース量で信号を送信する手段をさらに有することを特徴とする。【０１８０】
上記課題を解決する第１５０の発明は、上述したいずれかの発明において、前記無線リソース量とは、無線通信チャネルの送信電力に関する値であることを特徴とする。【０１８１】
上記課題を解決する第１５１の発明は、上述したいずれかの発明において、前記無線リソース量とは、自局から他の通信局への上りチャネルの電力オフセットであることを特徴とする。【０１８２】
上記課題を解決する第１５２の発明は、上述したいずれかの発明において、自局から他の通信局へのチャネルの電力オフセットを、閉ループ型送信電力制御により所定の受信品質となるよう制御された個別チャネルの送信電力に対する電力オフセットとすることを特徴とする。【０１８３】
上記課題を解決する第１５３の発明は、無線通信システムにおける通信局であって、他の通信局から自局の許諾無線リソース量を相対的に制御する信号を受信する手段と、前記制御信号と前記許諾無線リソース量の変更要求の結果と所定時間前に使用した無線リソースの大きさに応じて前記許諾無線リソース量を更新する手段とを有することを特徴とする。【０１８４】
上記課題を解決する第１５４の発明は、上述したいずれかの発明において、前記更新した許諾無線リソース量以下の無線リソース量で信号を送信する手段をさらに有することを特徴とする。【０１８５】
上記課題を解決する第１５５の発明は、上述したいずれかの発明の通信局に対して、前記通信局が使用してよい無線リソース量の変更要求を通知する信号を送信することを特徴とする通信局である。【０１８６】
上記課題を解決する第１５６の発明は、無線通信システムの通信局における信号送信方法であって、他の通信局から自局が使用してよい無線リソース量の変更要求を通知する信号を受信するステップと、前記信号と前記信号の蓄積情報と所定時間前に使用した無線リソース量とに応じて前記移動局が使用してよい無線リソース量を更新するステップとを有することを特徴とする。【０１８７】
上記課題を解決する第１５７の発明は、上述したいずれかの発明において、前記更新した無線リソース量以下の無線リソース量で信号を送信するステップをさらに有することを特徴とする。【０１８８】
上記課題を解決する第１５８の発明は、上述したいずれかの発明において、前記蓄積情報とは、前記無線リソース量の増加を指示する信号の受信結果に基づいて選択した、前記通信局から他の通信局への信号の送信形式が、所定時間前に使用した信号の送信形式と同じである場合の回数に関する情報であることを特徴とする。【０１８９】
上記課題を解決する第１５９の発明は、上述したいずれかの発明において、前記無線リソース量の増加を指示する信号の受信結果に基づいて更新した無線リソース量が、所定時間前の無線リソース量と同じである場合に前記蓄積情報を増加させるステップをさらに有することを特徴とする。【０１９０】
上記課題を解決する第１６０の発明は、上述したいずれかの発明において、前記無線リソース量の増加を指示する信号の受信に基づいて更新した無線リソース量が、所定時間前の無線リソース量と前記蓄積情報とに基づく値と同じである場合に、前記蓄積情報を増加させるステップをさらに有することを特徴とする。【０１９１】
上記課題を解決する第１６１の発明は、上述したいずれかの発明において、前記無線リソースの増加を指示する信号の受信に基づいて更新した無線リソース量と、無線リソース量から前記蓄積情報を引いた値とが同じである場合に、前記蓄積情報を増加するステップをさらに有することを特徴とする。【０１９２】
上記課題を解決する第１６２の発明は、上述したいずれかの発明において、前記無線リソース増加を指示する信号を受信し、前記信号に基づいて選択した送信形式が、所定時間前に使用した送信形式と同じである場合に、前記蓄積情報を増加させるステップをさらに有することを特徴とする。【０１９３】
上記課題を解決する第１６３の発明は、上述したいずれかの発明において、前記無線リソース量の減少を指示する信号を受信したときに、前記蓄積情報を所定の初期値にリセットすることを特徴とする。【０１９４】
上記課題を解決する第１６４の発明は、上述したいずれかの発明において、前記所定時間前に使用した送信形式と異なる送信形式を選択した場合に、前記蓄積情報を所定の初期値にリセットすることを特徴とする。【０１９５】
上記課題を解決する第１６５の発明は、上述したいずれかの発明において、自局が使用して良いとされる無線リソース量と、前記所定時間前に使用した無線リソース量が異なる場合に、前記蓄積情報を所定の初期値にリセットすることを特徴とする。【０１９６】
上記課題を解決する第１６６の発明は、上述したいずれかの発明において、前記無線リソースの増加を指示する信号の受信に基づいて更新した前記無線リソース量と、前記無線リソース量から前記蓄積情報を引いた値とが異なる場合に前記蓄積情報を所定の初期値にリセットすることを特徴とする。【０１９７】
上記課題を解決する第１６７の発明は、上述したいずれかの発明において、自局が使用してよい無線リソース量の絶対値に対応する情報を他の通信局から受信するステップと、前記絶対値に対応する情報を受信すると前記蓄積情報を所定の初期値にリセットすることを特徴とする。【０１９８】
上記課題を解決する第１６８の発明は、上述したいずれかの発明において、前記所定の初期値を0とすることを特徴とする。【０１９９】
上記課題を解決する第１６９の発明は、上述したいずれかの発明において、前記無線リソース減少を指示する信号を受信したときに、前記蓄積情報を減少させることを特徴とする。【０２００】
上記課題を解決する第１７０の発明は、上述したいずれかの発明において、第1の他の通信局から自局が使用してよい無線リソース量の変更要求を通知する信号を受信するとその結果に基づいて前記蓄積情報を更新し、第2の他の通信局から受信する該移動局が使用してよい無線リソース量の減少を通知する信号を受信しても前記蓄積情報を変更しないことを特徴とする。【０２０１】
上記課題を解決する第１７１の発明は、無線通信システムの通信局における信号送信方法であって、他の通信局から自局が使用してよい無線リソース量の変更要求を通知する信号を受信するステップと、前記信号が自局の無線リソース量のスケジューリングを行う他の通信局からの信号であった場合にその結果に基づいて前記蓄積情報を更新するステップと、前記信号と前記信号の蓄積情報と所定時間前に使用した無線リソース量とに応じて自局が使用してよい無線リソース量を更新するステップとを有することを特徴とする。【０２０２】
上記課題を解決する第１７２の発明は、上述したいずれかの発明において、前記所定時間前に使用した送信形式が、所定の送信形式のサブセットに属さない場合は、前記蓄積情報を変更しないことを特徴とする。【０２０３】
上記課題を解決する第１７３の発明は、上述したいずれかの発明において、前記所定時間前に使用した送信形式が所定の送信形式のサブセットに属する場合にのみ、前記無線リソース量の増加を指示する信号を受信に基づいて前記蓄積情報の増加させることを特徴とする。【０２０４】
上記課題を解決する第１７４の発明は、上述したいずれかの発明において、前記所定時間前に使用した送信形式が、所定の送信形式のサブセットに属さない場合は、前記無線リソース量の減少を指示する信号を受信したときに前記蓄積情報を0とすることを特徴とする。【０２０５】
上記課題を解決する第１７５の発明は、上述したいずれかの発明において、前記送信形式は、E-TFCであることを特徴とする。【０２０６】
上記課題を解決する第１７６の発明は、上述したいずれかの発明において、前記無線リソース量とは、無線通信チャネルの送信電力に関する値であることを特徴とする。【０２０７】
上記課題を解決する第１７７の発明は、上述したいずれかの発明において、前記無線リソース量とは、自局から他局への上りチャネルの電力オフセットであることを特徴とする。【０２０８】
上記課題を解決する第１７８の発明は、上述したいずれかの発明において、前記移動局は、前記自局から他局への上りチャネルの電力オフセットを、閉ループ型送信電力制御により所定の受信品質となるよう制御された個別チャネルの送信電力に対する電力オフセットとすることを特徴とする。【０２０９】
上記課題を解決する第１７９の発明は、上述したいずれかの発明において、前記蓄積情報が所定の最大値に達している場合は、前記蓄積情報を増加させないことを特徴とする。【０２１０】
上記課題を解決する第１８の発明は、無線通信システムの通信局における信号送信方法であって、他の通信局から自局の許諾無線リソース量を相対的に制御する信号を受信するステップと、前記制御信号と前記許諾無線リソース量の変更要求の結果と所定時間前に使用した無線リソースの大きさに応じて前記許諾無線リソース量を更新するステップとを有することを特徴とする。【０２１１】
上記課題を解決する第１８１の発明は、上述したいずれかの発明において、自局から他の通信局に前記更新した許諾無線リソース量以下の無線リソース量で信号を送信するステップをさらに有することを特徴とする。【０２１２】
上記課題を解決する第１８２の発明は、上述したいずれかの発明において、前記無線リソース量とは、無線通信チャネルの送信電力に関する値であることを特徴とする。【０２１３】
上記課題を解決する第１８３の発明は、上述したいずれかの発明において、前記無線リソース量とは、自局から他の通信局への上りチャネルの電力オフセットであることを特徴とする。【０２１４】
上記課題を解決する第１８４の発明は、上述したいずれかの発明において、前記上りチャネルの電力オフセットを、閉ループ型送信電力制御により所定の受信品質となるよう制御された個別チャネルの送信電力に対する電力オフセットとすることを特徴とする。【０２１５】
上記課題を解決する第１８５の発明は、上述したいずれかの発明において、前記変更要求は、前記無線リソース量の増加、減少または維持のいずれかの要求であることを特徴とする。【０２１６】
上記課題を解決する第１８６の発明は、少なくとも基地局と移動局から構成される無線通信システムにおける信号送信方法であって、前記基地局が、前記移動局が使用してよい無線リソース量の変更要求を通知する信号を送信するステップと、前記移動局が、前記信号を受信するステップと、前記信号が無線リソース量の増加を示す信号である場合は、前記移動局が使用して良いとされる無線リソース量から蓄積情報の無線リソース量を減じた値が、所定時間前に使用した無線リソース量に所定の無線リソース量を加えた値と等しいときは、蓄積情報の無線リソース量を増加させ、前記移動局が使用して良いとされる無線リソース量から蓄積情報の無線リソース量を減じた値が、所定時間前に使用した無線リソース量に所定の無線リソース量を加えた値と異なるときは、前記蓄積情報の無線リソース量を所定の初期値にリセットし、所定時間前に使用した無線リソース量に所定の無線リソース量と蓄積情報の無線リソース量を加えた値を、前記移動局が使用して良いとされる無線リソース量とするステップと、前記信号が無線リソース量の減少を示す信号である場合は、所定時間前に使用した無線リソース量から所定の無線リソース量を減じた値を、前記移動局が使用して良いとされる無線リソース量とするステップと、前記移動局が使用して良いとされる無線リソース量を超えない無線リソース量を使用して送信を行うステップを有することを特徴とする。【０２１７】
上記課題を解決する第１８７の発明は、少なくとも基地局と移動局から構成される無線通信システムであって、前記基地局は、前記移動局が使用してよい無線リソース量の変更要求を通知する信号を送信する手段を有し、前記移動局は、前記信号を受信する手段と、前記信号が無線リソース量の増加を示す信号である場合は、前記移動局が使用して良いとされる無線リソース量から蓄積情報の無線リソース量を減じた値が、所定時間前に使用した無線リソース量に所定の無線リソース量を加えた値と等しいときは、蓄積情報の無線リソース量を増加させ、前記移動局が使用して良いとされる無線リソース量から蓄積情報の無線リソース量を減じた値が、所定時間前に使用した無線リソース量に所定の無線リソース量を加えた値と異なるときは、前記蓄積情報の無線リソース量を所定の初期値にリセットし、所定時間前に使用した無線リソース量に所定の無線リソース量と蓄積情報の無線リソース量を加えた値を、前記移動局が使用して良いとされる無線リソース量とする更新手段を有し、前記更新手段はさらに、前記信号が無線リソース量の減少を示す信号である場合は、所定時間前に使用した無線リソース量から所定の無線リソース量を減じた値を、前記移動局が使用して良いとされる無線リソース量とし、前記移動局が使用して良いとされる無線リソース量を超えない無線リソース量を使用して送信を行う手段を有することを特徴とする。【０２１８】
上記課題を解決する第１８８の発明は、無線通信システムにおける移動局であって、前記信号を受信する手段と、前記信号が無線リソース量の増加を示す信号である場合は、前記移動局が使用して良いとされる無線リソース量から蓄積情報の無線リソース量を減じた値が、所定時間前に使用した無線リソース量に所定の無線リソース量を加えた値と等しいときは、蓄積情報の無線リソース量を増加させ、前記移動局が使用して良いとされる無線リソース量から蓄積情報の無線リソース量を減じた値が、所定時間前に使用した無線リソース量に所定の無線リソース量を加えた値と異なるときは、前記蓄積情報の無線リソース量を所定の初期値にリセットし、所定時間前に使用した無線リソース量に所定の無線リソース量と蓄積情報の無線リソース量を加えた値を、前記移動局が使用して良いとされる無線リソース量とする更新手段を有し、前記更新手段はさらに、前記信号が無線リソース量の減少を示す信号である場合は、所定時間前に使用した無線リソース量から所定の無線リソース量を減じた値を、前記移動局が使用して良いとされる無線リソース量とし、前記移動局が使用して良いとされる無線リソース量を超えない無線リソース量を使用して送信を行う手段を有することを特徴とする。【０２１９】
上記課題を解決する第１８９の発明は、無線通信システムの移動局における信号送信方法であって、基地局から前記移動局が使用してよい無線リソース量の変更要求を通知する信号を受信するステップと、前記信号が無線リソース量の増加を示す信号である場合は、前記移動局が使用して良いとされる無線リソース量から蓄積情報の無線リソース量を減じた値が、所定時間前に使用した無線リソース量に所定の無線リソース量を加えた値と等しいときは、蓄積情報の無線リソース量を増加させ、前記移動局が使用して良いとされる無線リソース量から蓄積情報の無線リソース量を減じた値が、所定時間前に使用した無線リソース量に所定の無線リソース量を加えた値と異なるときは、前記蓄積情報の無線リソース量を所定の初期値にリセットし、所定時間前に使用した無線リソース量に所定の無線リソース量と蓄積情報の無線リソース量を加えた値を、前記移動局が使用して良いとされる無線リソース量とするステップと、前記信号が無線リソース量の減少を示す信号である場合は、所定時間前に使用した無線リソース量から所定の無線リソース量を減じた値を、前記移動局が使用して良いとされる無線リソース量とするステップと、前記移動局が使用して良いとされる無線リソース量を超えない無線リソース量を使用して送信を行うステップを有することを特徴とする。【０２２０】
上記課題を解決する第１９０の発明は、無線通信システムにおける通信局であって、前記信号を受信する手段と、前記信号が無線リソース量の増加を示す信号である場合は、自局が使用して良いとされる無線リソース量から蓄積情報の無線リソース量を減じた値が、所定時間前に使用した無線リソース量に所定の無線リソース量を加えた値と等しいときは、蓄積情報の無線リソース量を増加させ、自局が使用して良いとされる無線リソース量から蓄積情報の無線リソース量を減じた値が、所定時間前に使用した無線リソース量に所定の無線リソース量を加えた値と異なるときは、前記蓄積情報の無線リソース量を所定の初期値にリセットし、所定時間前に使用した無線リソース量に所定の無線リソース量と蓄積情報の無線リソース量を加えた値を、自局が使用して良いとされる無線リソース量とする更新手段を有し、前記更新手段はさらに、前記信号が無線リソース量の減少を示す信号である場合は、所定時間前に使用した無線リソース量から所定の無線リソース量を減じた値を、前記自局が使用して良いとされる無線リソース量とし、前記自局が使用して良いとされる無線リソース量を超えない無線リソース量を使用して送信を行う手段を有することを特徴とする。【０２２１】
上記課題を解決する第１９１の発明は、無線通信システムの通信局における信号送信方法であって、基地局から自局が使用してよい無線リソース量の変更要求を通知する信号を受信するステップと、前記信号が無線リソース量の増加を示す信号である場合は、自局が使用して良いとされる無線リソース量から蓄積情報の無線リソース量を減じた値が、所定時間前に使用した無線リソース量に所定の無線リソース量を加えた値と等しいときは、蓄積情報の無線リソース量を増加させ、自局が使用して良いとされる無線リソース量から蓄積情報の無線リソース量を減じた値が、所定時間前に使用した無線リソース量に所定の無線リソース量を加えた値と異なるときは、前記蓄積情報の無線リソース量を所定の初期値にリセットし、所定時間前に使用した無線リソース量に所定の無線リソース量と蓄積情報の無線リソース量を加えた値を、自局が使用して良いとされる無線リソース量とするステップと、前記信号が無線リソース量の減少を示す信号である場合は、所定時間前に使用した無線リソース量から所定の無線リソース量を減じた値を、自局が使用して良いとされる無線リソース量とするステップと、自局が使用して良いとされる無線リソース量を超えない無線リソース量を使用して送信を行うステップを有することを特徴とする。【０２２２】
上記課題を解決する第１９２の発明は、上述したいずれかの発明において、無線リソース量は、電力オフセットであることを特徴とする。【０２２３】
上記課題を解決する第１９３の発明は、上述したいずれかの発明において、無線リソース量は、電力オフセットであることを特徴とする。【０２２４】
上記課題を解決する第１９４の発明は、上述したいずれかの発明において、無線リソース量は、SGインデックスであることを特徴とする。【０２２５】
上記課題を解決する第１９５の発明は、少なくとも第一の通信局と第二の通信局から構成される無線通信システムにおける信号送信方法であって、前記第一の通信局が、前記第二の通信局が使用してよい無線リソース量の変更要求を通知する信号を送信するステップと、前記第二の通信局が、前記信号を受信するステップと、前記信号と前記信号の蓄積情報と所定時間前に使用した無線リソース量とに応じて前記第二の通信局が使用してよい無線リソース量を更新するステップとを有することを特徴とする。【０２２６】
上記課題を解決する第１９６の発明は、上述したいずれかの発明において、前記第二の通信局が、前記更新した無線リソース量以下の無線リソース量で信号を送信するステップをさらに有することを特徴とする。【０２２７】
上記課題を解決する第１９７の発明は、上述したいずれかの発明において、前記第二の通信局は、前記第二の通信局が前記無線リソース量の増加を指示する信号の受信結果に基づいて選択した前記第二の通信局から前記第一の通信局への信号の送信形式が、所定時間前に使用した信号の送信形式と同じである場合に前記蓄積情報を増加させるステップとをさらに有することを特徴とする。【０２２８】
上記課題を解決する第１９８の発明は、上述したいずれかの発明において、前記第二の通信局は、前記無線リソース量の増加を指示する信号の受信に基づいて更新した無線リソース量が、所定時間前の無線リソース量と同じである場合に前記蓄積情報を増加させるステップとをさらに有することを特徴とする。【０２２９】
上記課題を解決する第１９９の発明は、上述したいずれかの発明において、前記第二の通信局は、前記更新した無線リソース量以下の無線リソース量で信号を送信するテップと、信号を送信した電力を測定するステップと、前記測定した電力と前記更新した無線リソース量とから信号の送信形式を選択するステップとを有することを特徴とする。【０２３０】
上記課題を解決する第２００の発明は、前記第二の通信局は、前記所定時間前に使用した送信形式と異なる送信形式を選択した場合に、前記蓄積情報を所定の初期値にリセットすることを特徴とする。【０２３１】
上記課題を解決する第２０１の発明は、上述したいずれかの発明において、前記第二の通信局は、前記第二の通信局が使用して良いとされる無線リソース量と、前記所定時間前に使用した無線リソース量が異なる場合に、前記蓄積情報を所定の初期値にリセットすることを特徴とする。【０２３２】
上記課題を解決する第２０２の発明は、上述したいずれかの発明において、前記第二の通信局が、前記第一の通信局から受信した信号が前記第二の通信局の無線リソース量のスケジューリングを行う第一の通信局からの該第二の通信局が使用してよい無線リソース量の変更要求を通知する信号であった場合にその結果に基づいて前記蓄積情報を更新するステップをさらに有することを特徴とする。【０２３３】
上記課題を解決する第２０３の発明は、上述したいずれかの発明において、前記所定時間前に使用した送信形式が所定の送信形式のサブセットに属する場合にのみ、前記第二の通信局が前記無線リソース量の増加を指示する信号を受信に基づいて前記蓄積情報の増加させることを特徴とする。【０２３４】
上記課題を解決する第２０４の発明は、少なくとも第一の通信局と第二の通信局から構成される無線通信システムであって、前記第一の通信局は、前記第二の通信局が使用してよい無線リソース量の変更要求を通知する信号を送信する手段を有し、前記第二の通信局は、前記信号を受信する手段と、前記信号と前記信号の蓄積情報と所定時間前に使用した無線リソース量とに応じて前記第二の通信局が使用してよい無線リソース量を更新する更新手段とを有することを特徴とする。【０２３５】
上記課題を解決する第２０５の発明は、上述したいずれかの発明において、前記第二の通信局が、前記更新した無線リソース量以下の無線リソース量で信号を送信する手段をさらに有することを特徴とする。【０２３６】
上記課題を解決する第２０６の発明は、上述したいずれかの発明において、前記第二の通信局は、前記第二の通信局が前記無線リソース量の増加を指示する信号の受信結果に基づいて選択した、前記第二の通信局から前記第二の通信局への信号の送信形式が、所定時間前に使用した信号の送信形式と同じである場合に前記蓄積情報を増加させる蓄積情報計測手段をさらに有することを特徴とする。【０２３７】
上記課題を解決する第２０７の発明は、上述したいずれかの発明において、前記第二の通信局は、前記無線リソース量の増加を指示する信号を受信に基づいて更新した無線リソース量が、所定時間前の無線リソース量と同じである場合に前記蓄積情報を増加させる蓄積情報計測手段をさらに有することを特徴とする。【０２３８】
上記課題を解決する第２０８の発明は、前記第二の通信局は、前記更新した無線リソース量以下の無線リソース量で信号を送信する送信手段と、前記送信手段が信号を送信した電力を測定する送信電力計測部と前記送信電力計測部の測定結果と前記更新手段が更新した前記第二の通信局が使用して良い無線リソース量から前記送信手段からの信号の送信形式を選択する選択手段とをさらに有することを特徴とする。【０２３９】
上記課題を解決する第２０９の発明は、上述したいずれかの発明において、前記第二の通信局の前記蓄積情報計測手段は、前記選択手段が前記所定時間前に使用した送信形式と異なる送信形式を選択した場合に前記蓄積情報を所定の初期値にリセットすることを特徴とする。【０２４０】
上記課題を解決する第２１０の発明は、上述したいずれかの発明において、前記第二の通信局は、前記第二の通信局が使用して良いとされる無線リソース量と、前記所定時間前に使用した無線リソース量が異なる場合に、前記蓄積情報を所定の初期値にリセットする手段を有することを特徴とする。【０２４１】
上記課題を解決する第２１１の発明は、上述したいずれかの発明において、前記第一の通信局は、前記第二の通信局が使用してよい無線リソース量の変更要求を通知する信号を送信する手段を有し、前記第二の通信局は、前記信号を受信する手段と、前記信号が前記第二の通信局の無線リソース量のスケジューリングを行う第一の通信局からの該第二の通信局が使用してよい無線リソース量の変更要求を通知する信号であった場合にその結果に基づいて前記蓄積情報を計測する計測手段と、前記信号と前記信号の蓄積情報と所定時間前に使用した無線リソース量とに応じて前記移動局が使用してよい無線リソース量を更新する更新手段とを有することを特徴とする。【０２４２】
上記課題を解決する第２１２の発明は、上述したいずれかの発明において、前記所定時間前に使用した送信形式が、所定の送信形式のサブセットに属する場合にのみ、前記第二の通信局が前記無線リソース量の増加を指示する信号を受信に基づいて前記蓄積情報の増加させることを特徴とする。【０２４３】
上記課題を解決する第２１３の発明は、無線通信システムにおける通信局であって、他の通信局から自局が使用してよい無線リソース量の変更要求を通知する信号を受信する手段と、前記信号と前記信号の蓄積情報と所定時間前に使用した無線リソース量とに応じて自局が使用してよい無線リソース量を更新する更新手段とを有することを特徴とする。【０２４４】
上記課題を解決する第２１４の発明は、上述したいずれかの発明において、前記更新した無線リソース量以下の無線リソース量で信号を送信する送信手段をさらに有することを特徴とする。【０２４５】
上記課題を解決する第２１５の発明は、上述したいずれかの発明において、前記自局の無線リソース量の増加を指示する信号の受信結果に基づいて選択した、自局から他の通信局への信号の送信形式が、所定時間前に使用した信号の送信形式と同じである場合の回数を前記蓄積情報として計測する蓄積情報計測手段をさらに有することを特徴とする。【０２４６】
上記課題を解決する第２１６の発明は、上述したいずれかの発明において、前記無線リソース量の増加を指示する信号を受信に基づいて更新した無線リソース量が、所定時間前の無線リソース量と同じである場合に前記蓄積情報を増加させる蓄積情報計測手段をさらに有することを特徴とする。【０２４７】
上記課題を解決する第２１７の発明は、上述したいずれかの発明において、前記更新した無線リソース量以下の無線リソース量で信号を送信する送信手段と、前記送信手段が信号を送信した電力を測定する送信電力計測部と、前記送信電力計測部の測定結果と、前記更新手段が更新した前記第二の通信局が使用して良い無線リソース量とから、前記送信手段からの信号の送信形式を選択する選択手段をさらに有することを特徴とする。【０２４８】
上記課題を解決する第２１８の発明は、上述したいずれかの発明において、前記蓄積情報計測手段は、前記選択手段が前記所定時間前に使用した送信形式と異なる送信形式を選択した場合に前記蓄積情報を所定の初期値にリセットすることを特徴とする。【０２４９】
上記課題を解決する第２１９の発明は、上述したいずれかの発明において、前記蓄積情報計測手段は、前記通信局が使用して良いとされる無線リソース量と、前記所定時間前に使用した無線リソース量が異なる場合に、前記蓄積情報を所定の初期値にリセットすることを特徴とする。【０２５０】
上記課題を解決する第２２０の発明は、上述したいずれかの発明において、他の通信局から自局が使用してよい無線リソース量の変更要求を通知する信号を受信する手段と、前記信号が自局の無線リソース量のスケジューリングを行う他の通信局からの、自局が使用してよい無線リソース量の変更要求を通知する信号であった場合にその結果に基づいて前記蓄積情報を計測する計測手段と、前記信号と前記信号の蓄積情報と所定時間前に使用した無線リソース量とに応じて自局が使用してよい無線リソース量を更新する更新手段とを有することを特徴とする。【０２５１】
上記課題を解決する第２２１の発明は、上述したいずれかの発明において、前記所定時間前に使用した送信形式が、所定の送信形式のサブセットに属する場合にのみ、前記第二の通信局が前記無線リソース量の増加を指示する信号の受信に基づいて前記蓄積情報を増加させることを特徴とする。【０２５２】
上記課題を解決する第２２２の発明は、無線通信システムの通信局における信号送信方法であって、他の通信局から自局が使用してよい無線リソース量の変更要求を通知する信号を受信するステップと、前記信号と前記信号の蓄積情報と所定時間前に使用した無線リソース量とに応じて前記第二の通信局が使用してよい無線リソース量を更新するステップとを有することを特徴とする。【０２５３】
上記課題を解決する第２２３の発明は、少なくとも第一の通信局と第二の通信局から構成される無線通信システムであって、前記第一の通信局は、前記第二の通信局が使用してよい無線リソース量の変更要求を通知する信号を送信する手段を有し、前記第二の通信局は、前記信号を受信する手段と、前記信号が無線リソース量の増加を示す信号である場合は、前記第二の通信局が使用して良いとされる無線リソース量から蓄積情報の無線リソース量を減じた値が、所定時間前に使用した無線リソース量に所定の無線リソース量を加えた値と等しいときは、蓄積情報の無線リソース量を増加させ、前記第二の通信局が使用して良いとされる無線リソース量から蓄積情報の無線リソース量を減じた値が、所定時間前に使用した無線リソース量に所定の無線リソース量を加えた値と異なるときは、前記蓄積情報の無線リソース量を所定の初期値にリセットし、所定時間前に使用した無線リソース量に所定の無線リソース量と蓄積情報の無線リソース量を加えた値を、前記第二の通信局が使用して良いとされる無線リソース量とする更新手段とを有し、前記更新手段はさらに、前記信号が無線リソース量の減少を示す信号である場合は、所定時間前に使用した無線リソース量から所定の無線リソース量を減じた値を、前記移動局が使用して良いとされる無線リソース量とし、前記第二の通信局は、前記使用して良いとされる無線リソース量を超えない無線リソース量を使用して送信を行う手段を有することを特徴とする。【０２５４】
上記課題を解決する第２２４の発明は、無線通信システムにおける通信局であって、前記信号を受信する手段と、前記信号が無線リソース量の増加を示す信号である場合は、自局が使用して良いとされる無線リソース量から蓄積情報の無線リソース量を減じた値が、所定時間前に使用した無線リソース量に所定の無線リソース量を加えた値と等しいときは、蓄積情報の無線リソース量を増加させ、自局が使用して良いとされる無線リソース量から蓄積情報の無線リソース量を減じた値が、所定時間前に使用した無線リソース量に所定の無線リソース量を加えた値と異なるときは、前記蓄積情報の無線リソース量を所定の初期値にリセットし、所定時間前に使用した無線リソース量に所定の無線リソース量と蓄積情報の無線リソース量を加えた値を、自局が使用して良いとされる無線リソース量とする更新手段を有し、前記更新手段はさらに、前記信号が無線リソース量の減少を示す信号である場合は、所定時間前に使用した無線リソース量から所定の無線リソース量を減じた値を、前記自局が使用して良いとされる無線リソース量とし、前記自局が、使用して良いとされる無線リソース量を超えない無線リソース量を使用して送信を行う手段を有することを特徴とする。【０２５５】
上記課題を解決する第２２５の発明は、上述したいずれかの発明において、無線通信システムの通信局における信号送信方法であって、第一の通信局から自局が使用してよい無線リソース量の変更要求を通知する信号を受信するステップと、前記信号が無線リソース量の増加を示す信号である場合は、自局が使用して良いとされる無線リソース量から蓄積情報の無線リソース量を減じた値が、所定時間前に使用した無線リソース量に所定の無線リソース量を加えた値と等しいときは、蓄積情報の無線リソース量を増加させ、自局が使用して良いとされる無線リソース量から蓄積情報の無線リソース量を減じた値が、所定時間前に使用した無線リソース量に所定の無線リソース量を加えた値と異なるときは、前記蓄積情報の無線リソース量を所定の初期値にリセットし、所定時間前に使用した無線リソース量に所定の無線リソース量と蓄積情報の無線リソース量を加えた値を、自局が使用して良いとされる無線リソース量とするステップと、前記信号が無線リソース量の減少を示す信号である場合は、所定時間前に使用した無線リソース量から所定の無線リソース量を減じた値を、自局が使用して良いとされる無線リソース量とするステップと、自局が使用して良いとされる無線リソース量を超えない無線リソース量を使用して送信を行うステップとを有することを特徴とする。
【発明の効果】
【０２５６】
本発明によると、基地局が使用してよい無線リソースの増加を指示したが、一つ大きなブロックサイズを選択するには不足している場合には、無線リソース増加の指示回数を蓄積し、次回使用してよい無線リソースの更新時に蓄積分も追加することにより、一つ大きなブロックサイズを選択できるようになる。これにより、従来技術において、無線リソースの増加を指示したにも関わらず同じトランスポートブロックを選択し続け、移動局の伝送レートを増加できなくなる問題点を解決することができる。また、移動局の伝送レートを所望の値に増加させることが可能となるためユーザスループットを向上させることや、送信遅延を低減することもできる。
【図面の簡単な説明】
【０２５７】
【図１】本発明の従来技術において用いられるE-TFCセットの一例を示すテーブルである。
【図２】本発明の従来技術において用いられるトランスポートブロックを説明する図である。
【図３】本発明の従来技術における移動局での制御手順を示す図である。
【図４】本発明の従来技術において用いられるSGテーブルの一例を示すテーブルである。
【図５】本発明の従来技術におけるSGの制御方法を説明する図である。
【図６】本発明の全ての実施形態に共通のシステムの構成を説明する図である。
【図７】本発明の第1の実施形態における移動局の動作フローを示す図である。
【図８】本発明の第1の実施形態における移動局の構成を示す図である。
【図９】本発明の第1の実施形態における基地局の構成を示す図である。
【図１０】本発明の第3の実施形態における移動局の動作フローを示す図である。
【図１１】本発明の第4の実施形態における移動局の動作フローを示す図である。
【図１２】本発明の第5の実施形態における移動局の構成を示す図である。
【図１３】本発明の第5の実施形態における移動局の動作フローを示す図である。
【図１４】本発明の背景技術において用いられるパラメータセットを説明する図である。
【符号の説明】
【０２５８】
801 、901       受信処理部
802                信号分離部
803                SG更新部
804                E-TFC選択部
805                ACC計測部
806                送信電力計測部
807                バッファ
809 、906       送信処理部
902               受信電力測定部
903               スケジューラ
904               誤り判定部
905               制御信号生成部
【発明を実施するための最良の形態】
【０２５９】
［第1の実施形態］
本実施の形態での無線通信システムの構成は、図６に示されるように複数の基地局と移動局から構成される。基地局は移動局が使用してよい無線リソース量（許諾無線リソース量）の変更要求を通知する信号を送信する。【０２６０】
移動局は、この許諾無線リソース量の変更要求の信号を受信し、受信した要求信号とそれまでに受信した要求信号の結果から得られる蓄積情報と所定時間前に使用した無線リソース量とに応じて前記移動局が使用してよい無線リソース量を更新し、その無線リソース量の範囲で信号の送信を行う。ここで無線リソース量としては、以下、移動局、基地局の構成および動作に関して、無線リソース量を移動局から基地局への上りチャネルの電力オフセットを例に取り、詳細に説明していく。【０２６１】
以下、移動局、基地局の構成および動作に関して、無線リソース量を移動局から基地局への上りチャネルの電力オフセットを例に取り、詳細に説明していく。
[移動局構成]
図8は本実施の形態における移動局の構成を示す図である。
本実施の形態における移動局は、受信処理部801、信号分離部802、SG更新部803、E-TFC選択部804、ACC計測部805、送信電力計測部806、バッファ807、データ合成部808、送信処理部809から成る。【０２６２】
受信処理部８０１は、下り回線の制御信号チャネルであるDPCCH、E-HICH、E-AGCHおよびE-RGCHの信号を受信し、レイク合成、逆拡散などの受信に必要な処理を行い、信号分離部８０２へ信号を送る。【０２６３】
信号分離部８０２ではSGインデックスの更新に必要な制御情報であるAGとRGを受信処理部８０１で受信した信号から分離し、SG更新部８０３へ送る。AGは無線リソース量（ここでは電力オフセット）を絶対値で要求する信号である。RGは無線リソース量を相対的に増減することを要求する信号であり、増加（ＵＰ）または減少（ＤＯＷＮ）、または維持（ＨＯＬＤ）のいずれかの要求を通知するための信号である。また、信号分離部８０２ではACK/NACK信号を受信処理部８０１で受信した信号から分離し、バッファ８０７へ送る。【０２６４】
SG更新部８０３は、図４に示すSGテーブルを保持しており、AGを受信するとAGが示す値のSGにSGを更新し、RGを受信すると後述する手順に基づいてSGを更新し、更新したSGを示すSGインデックスをE-TFC選択部８０４へ送る。【０２６５】
送信電力計測部８０６は、送信処理部８０９が送信するDPCCHの電力を測定する。さらに送信電力計測部８０６は、最大電力からDPCCHの電力とそれから算出されるE-DPCCHの電力とを引くことで移動局の残電力を算出する。【０２６６】
E-TFC選択部８０４では、SGと送信電力計測部８０６が測定したDPCCHの送信電力に基づいて、電力オフセットがSG以下で、且つ残電力で送信可能なE-TFCの中で、バッファ内のデータを出来る限り大量に送信できる最小のE-TFCを図1のE-TFCテーブルから選択し、次TTI送信のE-TFCとして選択する。E-TFC選択部８０４は選択したE-TFCをバッファ８０７に通知すると共に、ACC計測部８０５へ通知する。【０２６７】
ACC計測部８０５は、SG更新部８０３から受信したRGの情報と、E-TFC選択部８０４から選択したE-TFCの情報を受け取り、- RGがUPである場合は、ACC計測部８０５内に含まれる図示しないメモリに記録しておいた同じHARQプロセスで前回送信したE-TFCと今回選択したE-TFCを比較し、同じである場合はACCを一つ増加させ、異なる場合はACCを0にリセットする。- RGがDownである場合は、ACCを0にリセットする。【０２６８】
一方、バッファ８０７は信号分離部８０２からACK/NACK信号を受信し、NACKである場合は所定の再送データを、ACKである場合は次TTIのE-TFCに関する情報をE-TFC選択部から受け取り、E-TFCに適した数のPDUをデータ合成部へ送り、データ合成部８０８においてトランスポートブロックに多重、ヘッダの追加、また受信に必要な制御信号の多重などを行い、これらを送信処理部において符号化、拡散、変調などの必要な送信処理を行い送信する。
[基地局構成]
図9 は本実施の形態に用いる基地局の構成を示す図である。本実施の形態における基地局は、受信処理部901、受信電力測定部902、スケジューラ903、誤り判定部904、制御信号生成部905、送信処理部906から成る。【０２６９】
受信処理部９０１は、上り回線のDPCCH、E-DPCCHおよびE-DPDCHを受信し、レイク合成、逆拡散などの受信に必要な処理を行い、誤り判定部９０４においてE-DPDCHで受信したデータのCRCから誤りを検出し、検出結果をスケジューラ９０３、並びに制御信号生成部９０５へ送ると共に、誤りが検出されなかったデータブロックを上位レイヤへ送る。また、受信電力測定部９０２は上り回線の受信電力を所定周期で測定し、スケジューラへ送る。【０２７０】
スケジューラでは上位レイヤが設定する受信電力閾値と比較し、全受信電力が閾値を超えないように、誤り判定結果などに基づいて移動局をスケジューリングし、各移動局に使用を許可する電力オフセットを決定する。この決定は制御信号生成部へ送られ、ここで各移動局へ使用を許可する電力オフセットを通知するためのAGまたはRGや誤り判定結果であるACK/NACK信号を等の制御信号を生成する。生成した制御信号を送信処理部９０６へ送り、符号化、拡散、変調などの必要な送信処理を行い送信する。
[移動局フロー]
図７には、移動局がRGを受信した場合の動作フローを示している。以下、図７、図８を参照しながら移動局がRGを受信した場合の動作フローを説明する。【０２７１】
移動局のSG更新部８０３は、RGを受信すると、まずメモリに蓄積した記録から同じHARQプロセスの前回の送信で使用した電力オフセット（LUPR: Last Used Power Ratio）以上で最小の電力オフセットを電力オフセットテーブルから選び、そのインデックスをSGI_LUPRに設定し（ステップ701）、以下の手順でSGを更新し、E-TFCを選択する。ここで、SGテーブルの中の最大のインデックスをSGI_maxとする。
-  受信したRGがUPの場合（ステップ702,YES）：
SG更新部803は、新たなSGであるSERVING_GRANTは以下の式に従って算出する（ステップ703）。
SERVING_GRANT = SG[Min(SGI_LUPR + 1 + ACC, SGI_max)]
ここで、ACCはRGの蓄積情報に関する値であり、送信開始時は0に設定されている。このACCは、移動局に基地局から通知された移動局が使用してよい無線リソース量の変更要求の結果を示すパラメータと捉えることもできる。【０２７２】
その後、E-TFC更新部８０４は、新たなSGに基づいて、従来技術で説明した要領でE-TFCを選択し（ステップ704）、ACC計測部８０５は選択したE-TFCが同じHARQプロセスの前回の送信時に使用したE-TFCと同じ場合はACCを1増加させ（ステップ706）、前回のE-TFCとは異なるE-TFCを選択した場合はACCを0にリセットする（ステップ707）。
-  受信したRGがDownの場合（ステップ702, No）：
SG更新部８０３は、新たなSGであるSERVING_GRANTは以下の式に従って算出する（ステップ708）。
SERVING_GRANT = SG[Max(SGLUPR − 1, 0)]
また、ACC計測部８０５は、ACCを0にリセットする（ステップ709）。その後、E-TFC選択部は新たなSGに基づいて、従来技術で説明した要領でE-TFC選択をする（ステップ710）。【０２７３】
E-TFCを選択後、バッファ８０７は選択したE-TFCに応じたPDU数だけPDUをデータ合成部８０８へ送り、送信処理部８０９からE-DPDCHを送信し、SG更新部８０３は使用した電力オフセットに関する情報をメモリに記録する（ステップ711）。【０２７４】
ここで、図７のステップ７０５でのACCの更新の条件として選択したE-TFCを使用したが、選択したE-TFCの送信に使用する電力オフセットのインデックスSGI_CURRENTまたは、実際の電力オフセットSG[SGI_CURRENT]を使用してもよい。すなわち、ステップ705において、SGI_LUPRとSGI_CURRENTが同じである場合（YES）はステップ706を、異なる場合（NO）はステップ707を行う。または、電力オフセットとする場合は、SG[SGI_LUPR]とSG[SGI_CURRENT]が同じである場合（YES）はステップ706を、異なる場合（NO）はステップ707を行う。【０２７５】
以上により、RGのUPの通知にも関わらず、PDU数を一つ多く送信できるE-TFCを選択するにはSGIの値が不足していた場合には、ACCを一つ増加させる。すなわち、RGでUPを受信したにも関わらずE-TFCを増加できなかった場合に、RGのUPの通知回数を蓄積していき、次のSGの更新ステップでSGIに加算することにより、課題にて説明したような問題点を解決し、RGによるE-TFCの増加を可能とする。従って、AGと比較してオーバヘッドの小さいRGを用いて伝送レートを所望の値に増加させることが可能となり、システム全体のスループットを向上させることができ、移動局のユーザスループットを向上させることや、送信遅延を低減することもできる。【０２７６】
なお、ここでは図８で示されるハードウェア構成の移動局が図７で示される動作フローを実行するものとして説明したが、図示しない移動局内のメモリに記憶されたプログラムが図８で示されるハードウェア構成と同等の機能を有するハードウェアに図７で示される動作フローを実行させることも可能である。【０２７７】
［第2の実施形態］
第2の実施形態における移動局は、ACC計測部８０５による図７のステップ７０６におけるACCの加算を所定のE-TFCサブセットが選択されていた場合のみ行う点が第1の実施の形態と異なる点である。例えば、第1の実施の形態におけるACC計測部８０５において、メモリに記録された同じHARQプロセスで前回送信したE-TFCのE-TFCインデックスが所定の値以下、より具体的な例を挙げれば図１のE-TFCテーブルにおいてのE-TFCインデックスが１３以下（E-TFC13以下）のE-TFCである場合にACCの加算を行い、それ以外の場合はACCは0としておく。【０２７８】
課題にて説明したように、本発明で解決すべき問題点はE-TFCが小さい場合に生じることが多いので、問題の生じるE-TFCの場合にACCを加算するようにし、それ以外の場合は加算しないことにより、ACC計測部８０５の処理負担を軽減したり、また動作エラーによりACCが０であるべきE-TFCにおいて値が０でないACCを加算してしまうよう誤動作を防止することも可能となる。それ以外の動作、並びに効果は第1の実施形態と同様である。【０２７９】
また、ここではサブセットはあるE-TFC以下のものと設定したが、本実施の形態はそれだけには限らない。例えば、E-TFC4、E-TFC13、E-TFC25をサブセットとしてもよいし、E-TFC13以上のE-TFCをサブセットとしてもよい。【０２８０】
［第3の実施形態］
第1または第２の実施の形態では、RGのDownを受信した場合はACCを0にリセットするようにしていたが、第3の実施の形態における移動局は、複数基地局からRGを受信している場合に、スケジューリングを行っている基地局（Serving BS）以外の基地局（Non-serving BS）が送信するRG Downの通知を受信した場合は、ACCを0にリセットせず現在の値を保持しておくようにする。  より具体的には、図７におけるステップ７０８、７０９、７１０が図１０のステップ１００１〜１００３に置き換えられる。RGのDownをServing BSから受信した場合（ステップ１０01のNoの場合）にはACCをリセットするが（ステップ１０02）、RGのDownをNon-Serving BSから受信した場合（ステップ１０01のYesの場合）にはステップD02は実行しない。そして、ステップ１０01のYesの場合もNoの場合のいずれも新たなSGであるSERVING_GRANTは以下の式に従って算出する（ステップ１０03）。
SERVING_GRANT = SG[Max(SGI_LUPR− 1, 0)]
そして、SGに基づいてE-TFCを選択する（ステップ１００４）。【０２８１】
EUDCHでは背景技術においても説明したように複数の基地局が受信するソフトハンドオーバを行うが、スケジューリングを行ってSGを増加させることができるServing BSは1基地局のみに限定される。それ以外のNon-serving BSは、受信電力の状況が所定の条件を超えるオーバロード状態となった場合、例えば基地局の全受信電力が所定閾値以上となった場合に、スケジューリングを行っていない移動局に対してSGを下げるよう指示するRG Down（OLI:Over Load Indicator）を送信することができる。【０２８２】
移動局はこのOLIを受信した場合はこれに優先的に従い、例えServing BSがSGのUPを通知しても、SGを減少させなければならない。しかし、移動局はNon-serving BSでの混雑が緩和されOLIが送信されなくなると、再びServing BSの送信するAGやRGに従うことができる。【０２８３】
このとき、第1の実施例のようにServing BS、Non-serving BSに関わらず、RG Downの受信の度にACCを0にリセットしてしまうと、Non-serving BSの混雑が緩和された後に、Serving BSのRGに従って電力オフセットを増加させる際に、再びACC=0から蓄積を開始しなければならず、一つ上のE-TFCを選択するまでの遅延が増加する。そこで、本実施の形態では、Non-serving BSの送信するRG Downの場合はACCを0にリセットせず、そのまま保持することにより一つ上のE-TFCを選択するまでの遅延を低減し、伝送レートの増加を速やかに行えるという効果も得られる。それ以外の動作、並びに効果は第1の実施の形態と同様である。【０２８４】
［第4の実施の形態］
第1の実施の形態では、移動局がRGのDownを受信した場合はACCを0にリセットするようにしていたが、第4の実施の形態における移動局は、RGのDownを受信した時点でACCが1以上である場合は、ACCを1減少させるようにすることを特徴とする。すなわち、図7のステップ７０８、７０９が、図１１のステップ１１01〜１１０3に置き換えられる。
図７のステップ７０４のNOの場合に、
Serving_Grant  = SG[SGI_LUPR−１＋ACC]
を実行する（1101）。そして、ACC >= 1の場合（1102のYesの場合）は、ACC=ACC−１を実行する（1103）。
それ以外の動作、並びに効果は第1の実施の形態と同様である。【０２８５】
［第5の実施の形態］
第5の実施の形態では、ACC計測に使用する条件が第1の実施の形態と異なるが、それ以外は第1の実施の形態と同様であり、第2から第4の実施の形態との組み合わせも可能である。【０２８６】
第１の実施の形態との違いを、移動局の構成とその動作フローから以下に説明する。
[移動局構成]
図12は本実施の形態における移動局の構成を示す図である。
第5の実施形態における移動局が第1の実施形態における移動局と異なる点は、第5の実施形態における移動局にはACC計測部がないことである。その代わり、第5の実施形態における移動局ではACCの計測をSG更新部1203で行う。【０２８７】
SG更新部1203では、AGを受信すると示されている値にSGを更新し、RGを受信すると後述する移動局のフローの手順に基づいてSGを更新し、更新したSGをE-TFC選択部1204へ送る。
送信電力計測部1206は、送信処理部1209が送信するDPCCHの電力を測定する。さらに送信電力計測部1206は、最大電力からDPCCHの電力とそれから算出されるE-DPCCHの電力とを引くことで移動局の残電力を算出する。【０２８８】
E-TFC選択部1204では、SGと送信電力計測部C6が測定したDPCCHの送信電力に基づいて、所要電力オフセットがSG以下で、且つ残電力で送信可能なE-TFCの中で、バッファ内のデータを出来るだけ送信できる最小のE-TFCを選択する。
[移動局のフロー]
図13は、第5の実施の形態における、移動局がRGを受信した場合の動作フローを示す図である。以下、図13と図12を用いて、移動局がRGを受信した場合の動作フローを説明する。ここで、SGテーブルの中の最大のSGのインデックスをSGI_maxとする。
移動局はRGを受信すると、
ステップ1301：SG更新部1203は同じHARQプロセスの前回の送信で使用した電力オフセット（LUPR: Last Used Power Ratio）以上で最小のSGをSGテーブルから選び、そのインデックスをSGI_LUPRに設定する。
ステップ1302:
- 受信したRGがUPの場合（ステップ1302,YES）：
ステップ1303:SG更新部120３は、現在のSGのインデックスをSGI_CPRとし、（SGI_CPR-ACC）と（SGI_LUPR+1）を比較する。ここで、ACCはRGの累積情報に関する値であり、送信開始時は0に設定されている。【０２８９】
- 同じ場合(ステップ1303, YES):
ACC++
- 異なる場合(ステップ1304, NO):
ACC=0
ステップ1304:  SG更新部は、SGとしてSG[SGILUPR+1+ACC]またはSG[SGI_max]の小さい方を設定する。
-  受信したRGがServing RGまたはNon-serving RGのDownの場合（ステップ1302, No）：
ステップ1307: SG更新部1203は、SGとしてSG[SGILUPR1]またはSG[0]の大きい方を設定する。
ステップ1308： ACC=0
ステップ1309:  E-TFC選択部1204は、更新したSGに基づいて、従来技術にて説明した要領でE-TFCを選択する。
ステップ1310: 送信処理部1209は、選択したE-TFCでE-DPDCHを送信し、SG更新部1203は使用した電力オフセットに関する情報をメモリに記録する。【０２９０】
以上のように、RG UPを受信したにも関わらず、SGが前回と比較して増加していない場合にACCを増加させ、E-TFC選択に使用するためのSGに追加することで、課題にて説明したような問題を解決することができる。従って、RGによりE-TFCの増加を可能とし、オーバヘッドの小さいRGを用いて伝送レートを所望の値に増加させることが可能となり、システム全体のスループットを向上させるとともに、移動局のユーザスループットを向上させると共に、送信遅延を低減することができる。【０２９１】
なお、以上の第1から第5の実施形態では、移動局の動作フロー図7のステップ706において、RGがUPであり、且つE-TFCが同じHARQプロセスにおいて前回送信したE-TFCと同じである場合にはACCを1増加させていた。【０２９２】
しかし、背景技術のE-TFC選択に関する説明の（３）で述べたように、移動局はバッファ内のデータ量が出来るだけ大量に送信できるE-TFCの中で最小のE-TFCを選択する。例えば、移動局がRGのUPを受信し、SGがSGインデックス6で示されるSGに更新されたとすると、図14より、移動局は2つのPDUを送信できるE-TFC7まで選択できる。しかし、バッファ内のデータ量が300ビットであったとすると、PDUを1個送信すれば全てのデータを送信できるため、移動局はPDUを1つ送信できるE-TFC４を選択する。従って、RGのUPを受信したにも関わらず、前回よりも高いE-TFCを選択しない場合が生じる。このようなときは、ACCを加算しないようにしてもよい。【０２９３】
具体的には、移動局はバッファ内のデータ量が0の場合は、ACCを増加させず、同じ値を
維持し、それ以外の場合はACCを1増加させるようにしてもよい。【０２９４】
または、移動局はバッファ内のデータ量が0の場合は、ACCを0にリセットし、それ以外の場合はACCを1増加させるようにする。【０２９５】
なお、ここでは図１２で示されるハードウェア構成の移動局が図１３で示される動作フローを実行するものとして説明したが、図示しない移動局内のメモリに記憶されたプログラムが図１２で示されるハードウェア構成と同等の機能を有するハードウェアに図１３で示される動作フローを実行させることも可能である。【０２９６】
なお、以上の第1から第5の実施形態において、ACCの最大値を限定するようにしてもよい。例えば、ACCの最大値は3と設定し、ACCが最大値に達した場合はそれ以上増加させないか、または0にリセットするようにしてもよい。【０２９７】
なお、以上の第1から第5の実施の形態において、移動局がAGを受信した場合には、ACCを0にリセットするようにしてもよい。【０２９８】
なお、上記各実施の形態においては、EUDCHを例として移動局の電力オフセットの制御のためのスケジューリングを示したが、必ずしも本願発明での制御対象はEUDCHの移動局の電力オフセットに限定するものではない。無線通信における無線リソース量のスケジューリングに係るものであれば良く、例えば周波数バンドの幅や、時分割における割り当て時間量などでも良い。【０２９９】
また、使用してよいとする無線リソース量（許諾無線リソース量）は移動局から基地局への上りのチャネルに関わるものに限定されない。基地局から無線局への下りのチャネルに関わる許諾無線リソース量であっても良い。移動局と基地局はどちらも通信局として信号の送信に使うチャネルの無線リソース量の制御においてお互いの役割を入れ替えることが可能である。
【図１】
2007043455.tif 000003
【図２】
2007043455.tif 000004
【図３】
2007043455.tif 000005
【図４】
2007043455.tif 000006
【図５】
2007043455.tif 000007
【図６】
2007043455.tif 000008
【図７】
2007043455.tif 000009
【図８】
2007043455.tif 000010
【図９】
2007043455.tif 000011
【図１０】
2007043455.tif 000012
【図１１】
2007043455.tif 000013
【図１２】
2007043455.tif 000014
【図１３】
2007043455.tif 000015
【図１４】
2007043455.tif 000016
【国際調査報告】
2007043455.tif 000017
2007043455.tif 000018
2007043455.tif 000019
2007043455.tif 000020